(57)【要約】  本願の実施形態は通信方法、第１のＳＴＡ、第２のＳＴＡ及びアクセスポイントＡＰを開示する。方法は、第１のステーションＳＴＡにより、第１の基本サービスセットＢＳＳカラーを判定する段階と、第１のステーションＳＴＡ及び第２のＳＴＡがデバイスツーデバイスＤ２Ｄ伝送を実行するときに、第１のＳＴＡにより、データフレームを生成する段階であって、データフレームは、第１のＢＳＳカラーを含む、段階と、第１のＳＴＡにより、データフレームを第２のＳＴＡに送信する段階とを含む。第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
2019518379.tif 000002
【特許請求の範囲】
【請求項１】
通信方法であって、
第１のステーション、ＳＴＡ、により、第１の基本サービスセット、ＢＳＳ、カラーを判定する段階と、
前記第１のＳＴＡ及び第２のＳＴＡがデバイスツーデバイス、Ｄ２Ｄ、伝送を実行するときに、前記第１のＳＴＡにより、データフレームを生成する段階であって、前記データフレームは前記第１のＢＳＳカラーを有する、段階と、
前記第１のＳＴＡにより、前記データフレームを前記第２のＳＴＡに送信する段階と
を備える方法。
【請求項２】
前記データフレームは、高効率物理レイヤコンバージェンスプロシージャプロトコルデータユニット、ＨＥ  ＰＰＤＵ、であり、前記第１のＢＳＳカラーは、前記ＨＥ  ＰＰＤＵの基本サービスセットＢＳＳカラーフィールドにおいて搬送される、請求項１又は２に記載の方法。
【請求項３】
第１のステーションＳＴＡにより、第１の基本サービスセットＢＳＳカラーを前記判定する段階は、
前記第１のＳＴＡにより、前記第１のＳＴＡ及び前記第２のＳＴＡが属するＢＳＳのＢＳＳパラメータ、及び、前記第１のＳＴＡのＳＴＡパラメータ又は前記第２のＳＴＡのＳＴＡパラメータに従って、前記第１のＢＳＳカラーを判定する段階であって、前記ＢＳＳパラメータは、前記ＢＳＳの基本サービスセット識別子ＢＳＳＩＤ又は第２のＢＳＳカラーを有し、前記ＳＴＡパラメータは、前記ＳＴＡのＭＡＣアドレス又は前記ＳＴＡのアソシエーション識別子ＡＩＤを有し、前記第２のＢＳＳカラーは、前記ＳＴＡ及び前記第２のＳＴＡと関連付けられたアクセスポイントＡＰにより設定されたＢＳＳカラーである、段階を有する、請求項１又は２に記載の方法。
【請求項４】
前記第１のＳＴＡにより、データフレームを前記生成する段階の前に、前記方法は、さらに、
前記第１のＳＴＡにより、トンネルダイレクトリンクセットアップ、ＴＤＬＳ、セットアップ要求フレームを、前記第１のＳＴＡ及び前記第２のＳＴＡと関連付けられた前記アクセスポイントＡＰを用いることにより、前記第２のＳＴＡに送信する段階を備え、前記ＴＤＬＳセットアップ要求フレームは前記第１のＢＳＳカラーを有し、その結果、前記第２のＳＴＡは、前記第１のＢＳＳカラーを、前記第１のＳＴＡとの前記Ｄ２Ｄ伝送を実行するためのＢＳＳカラーと判定する、請求項１から３のいずれか一項に記載の方法。
【請求項５】
前記方法は、さらに、
前記第１のＳＴＡにより、前記ＡＰを用いることによって、前記第２のＳＴＡにより送信されたＴＤＬＳセットアップ応答フレームを受信する段階であって、前記ＴＤＬＳセットアップ応答フレームは、前記第１のＢＳＳカラーの受信を確認すべく用いられる肯定応答メッセージを有する、段階を備える、請求項４に記載の方法。
【請求項６】
第１のステーションＳＴＡにより、第１の基本サービスセットＢＳＳカラーを前記判定する段階は、
前記第１のＳＴＡにより、予め設定された固定値を前記第１のＢＳＳカラーと判定する段階を有する、請求項１、２、４及び５のいずれか一項に記載の方法。
【請求項７】
通信方法であって、
第２のステーション、ＳＴＡ、により、第１のＳＴＡにより送信されたトンネルダイレクトリンクセットアップＴＤＳＬセットアップ要求フレームを受信する段階であって、前記ＴＤＬＳセットアップ要求フレームは、第１の基本サービスセット、ＢＳＳ、カラーを有する、段階と、
前記第２のＳＴＡにより、前記第１のＳＴＡとのデバイスツーデバイス、Ｄ２Ｄ、前記第１のＢＳＳカラーを、伝送を実行するためのＢＳＳカラーと判定する段階と
を備える方法。
【請求項８】
前記方法は、さらに、
前記第２のＳＴＡにより、前記第１のＳＴＡ及び前記第２のＳＴＡと関連付けられたアクセスポイントＡＰを用いることによって、ＴＤＬＳセットアップ応答フレームを前記第１のＳＴＡに送信する段階であって、前記ＴＤＬＳセットアップ応答フレームは、前記第１のＢＳＳカラーを承認すべく用いられる肯定応答メッセージを有する、段階を備える、請求項７に記載の方法。
【請求項９】
通信方法であって、
アクセスポイントＡＰにより、第１のステーションＳＴＡにより送信されたトンネルダイレクトリンクセットアップＴＤＳＬセットアップ要求フレームを受信する段階であって、前記ＴＤＬＳセットアップ要求フレームは、第１の基本サービスセットＢＳＳカラーを有する、段階と、
前記ＡＰにより、前記ＴＤＬＳセットアップ要求フレームを第２のＳＴＡに送信する段階と
を備え、
前記第２のＳＴＡは、前記第１のＢＳＳカラーを、前記第１のＳＴＡとのＤ２Ｄ伝送を実行するためのＢＳＳカラーと判定する、方法。
【請求項１０】
前記方法は、さらに、
前記ＡＰにより、前記第２のＳＴＡにより送信されたＴＤＬＳセットアップ応答フレームを受信する段階であって、前記ＴＤＬＳセットアップ応答フレームあ
は、前記第１のＢＳＳカラーを承認すべく用いられる肯定応答メッセージを有する、段階と
前記ＡＰにより、前記ＴＤＬＳセットアップ応答フレームを前記第１のＳＴＡに送信する段階と
を備える、請求項９に記載の方法。
【請求項１１】
第１のステーションＳＴＡであって、
第１の基本サービスセットＢＳＳカラーを判定するように構成される判定ユニットと、
前記第１のＳＴＡ及び第２のＳＴＡがデバイスツーデバイスＤ２Ｄ伝送を実行するときに、データフレームを生成するように構成される生成ユニットであって、前記データフレームは前記第１のＢＳＳカラーを有する、生成ユニットと、
前記データフレームを前記第２のＳＴＡに送信するように構成される送信ユニットと
を備える第１のＳＴＡ。
【請求項１２】
前記データフレームは、高効率物理レイヤコンバージェンスプロシージャプロトコルデータユニットＨＥ  ＰＰＤＵであり、前記第１のＢＳＳカラーは、前記ＨＥ  ＰＰＤＵの基本サービスセットＢＳＳカラーフィールドにおいて搬送される、請求項１１に記載の第１のＳＴＡ。
【請求項１３】
前記判定ユニットは、具体的には、
前記第１のＳＴＡ及び前記第２のＳＴＡが属するＢＳＳのＢＳＳパラメータ、及び、前記第１のＳＴＡのＳＴＡパラメータ又は前記第２のＳＴＡのＳＴＡパラメータに従って、前記第１のＢＳＳカラーを判定するように構成され、前記ＢＳＳパラメータは、前記ＢＳＳの基本サービスセット識別子ＢＳＳＩＤ又は第２のＢＳＳカラーを有し、前記ＳＴＡパラメータは、前記ＳＴＡのＭＡＣアドレス又は前記ＳＴＡのアソシエーション識別子ＡＩＤを有し、前記第２のＢＳＳカラーは、前記ＳＴＡ及び前記第２のＳＴＡと関連付けられたアクセスポイントＡＰにより設定されたＢＳＳカラーである、請求項１１又は１２に記載の第１のＳＴＡ。
【請求項１４】
前記送信ユニットは、さらに、
前記第１のＳＴＡ及び前記第２のＳＴＡと関連付けられた前記アクセスポイントＡＰを用いることにより、トンネルダイレクトリンクセットアップＴＤＳＬセットアップ要求フレームを前記第２のＳＴＡに送信するように構成され、前記ＴＤＬＳセットアップ要求フレームは、前記第１のＢＳＳカラーを有し、その結果、前記第２のＳＴＡは、前記第１のＢＳＳカラーを、前記第１のＳＴＡとの前記Ｄ２Ｄ伝送を実行するためのＢＳＳカラーと判定する、請求項１１から１３のいずれか一項に記載の第１のＳＴＡ。
【請求項１５】
前記第１のＳＴＡは、さらに、
前記ＡＰを用いることにより、前記第２のＳＴＡにより送信されたＴＤＬＳセットアップ応答フレームを受信するように構成される受信ユニットであって、前記ＴＤＬＳセットアップ応答フレームは、前記第１のＢＳＳカラーを承認すべく用いられる肯定応答メッセージを有する、受信ユニットを備える、請求項１４に記載の第１のＳＴＡ。
【請求項１６】
前記判定ユニットは、具体的には、
予め設定された固定値を前記第１のＢＳＳカラーと判定するように構成される、請求項１１、１２、１４及び１５のいずれか一項に記載の第１のＳＴＡ。
【請求項１７】
第２のステーションＳＴＡであって、
第１のＳＴＡにより送信されたトンネルダイレクトリンクセットアップＴＤＳＬセットアップ要求フレームを受信するように構成される受信ユニットであって、前記ＴＤＬＳセットアップ要求フレームは、第１の基本サービスセットＢＳＳカラーを有する、受信ユニットと、
前記第１のＢＳＳカラーを、前記第１のＳＴＡとのＤ２Ｄ伝送を実行するためのＢＳＳカラーと判定するように構成される判定ユニットと
を備える第２のＳＴＡ。
【請求項１８】
前記第２のＳＴＡは、さらに、
前記第１のＳＴＡ及び前記第２のＳＴＡと関連付けられたアクセスポイントＡＰを用いることにより、前記第１のＳＴＡにＴＤＬＳセットアップ応答フレームを送信するように構成される送信ユニットであって、前記ＴＤＬＳセットアップ応答フレームは、前記第１のＢＳＳカラーを承認すべく用いられる肯定応答メッセージを有する、請求項１７に記載の第２のＳＴＡ。
【請求項１９】
アクセスポイントＡＰであって、
第１のステーションＳＴＡにより送信されたトンネルダイレクトリンクセットアップＴＤＳＬセットアップ要求フレームを受信するように構成される受信ユニットであって、前記ＴＤＬＳセットアップ要求フレームは、第１の基本サービスセットＢＳＳカラーを有する、受信ユニットと、
前記ＴＤＬＳセットアップ要求フレームを第２のＳＴＡに送信するように構成される送信ユニットと
を備え、
前記第２のＳＴＡは、前記第１のＢＳＳカラーを、前記第１のＳＴＡとのＤ２Ｄ伝送を実行するためのＢＳＳカラーと判定する、ＡＰ。
【請求項２０】
前記受信ユニットは、さらに、前記第２のＳＴＡにより送信されたＴＤＬＳセットアップ応答フレームを受信するように構成され、前記ＴＤＬＳセットアップ応答フレームは、前記第１のＢＳＳカラーを承認すべく用いられる肯定応答メッセージを有し、
前記送信ユニットは、さらに、前記ＴＤＬＳセットアップ応答フレームを前記第１のＳＴＡに送信するように構成される、請求項１９に記載のＡＰ。
【発明の詳細な説明】
【技術分野】
【０００１】
本願は、２０１６年６月８日に中国特許庁に出願され、「通信方法、第１のステーション、第２のステーション及びアクセスポイント」と題する中国特許出願第２０１６１０４０３９８２．８号の優先権を主張し、その全体における参照により本明細書に組み込こまれる。
【０００２】
本願は、通信分野、特に、通信方法、第１のステーション、第２のステーション及びアクセスポイントに関する。
【背景技術】
【０００３】
基本サービスセット（ｂａｓｉｃ  ｓｅｒｖｉｃｅ  ｓｅｔ、ＢＳＳ）カラー（ｃｏｌｏｒ）フィールドは、ＢＳＳカラー（又は、ＢＳＳ  ｃｏｌｏｒと称される）を搬送する。ＢＳＳカラーは、ＢＳＳの識別子であり、かつ、受信した高効率物理レイヤコンバージェンスプロシージャプロトコルデータユニット（ｈｉｇｈ  ｅｆｆｉｃｉｅｎｃｙ  ｐｈｙｓｉｃａｌ  ｌａｙｅｒ  ｃｏｎｖｅｒｇｅｎｃｅ  ｐｒｏｃｅｄｕｒｅ  ｐｒｏｔｏｃｏｌ  ｄａｔａ  ｕｎｉｔ、ＨＥ  ＰＰＤＵ）のソース、つまり、ＨＥ  ＰＰＤＵが、ローカルＢＳＳからのものであるか、又は、オーバラップ基本サービスセット（ｏｖｅｒｌａｐｐｅｄ  ｂａｓｉｃ  ｓｅｒｖｉｃｅ  ｓｅｔ、ＯＢＳＳ）、つまり、隣接ＢＳＳからのものであるかを特定する場合にステーション（ｓｔａｔｉｏｎ、ＳＴＡ）を支援するために用いられる。
【０００４】
トンネルダイレクトリンクセットアップ（ｔｕｎｎｅｌｅｄ  ｄｉｒｅｃｔ-ｌｉｎｋ  ｓｅｔｕｐ、ＴＤＬＳ）は、デバイスツーデバイス（ｄｅｖｉｃｅ-ｔｏ-ｄｅｖｉｃｅ、Ｄ２Ｄ）通信方式である。関連するアクセスポイント（ａｃｃｅｓｓ  ｐｏｉｎｔ、ＡＰ）の支援を用いて、同一のＢＳＳ内の２つのステーションは、ＴＤＬＳダイレクトリンクをセットアップできる。ＴＤＬＳダイレクトリンクが正常にセットアップされた後に、ＴＤＬＳダイレクトリンクの接続が切られるまで、２つのステーションは、ＡＰを用いることなく互いに直接的にデータを送信できる。
【０００５】
ＴＤＬＳステーションと関連付けられたＡＰ、つまり、ＴＤＬＳダイレクトリンクをセットアップするステーションの能力の差異に応じて、２つの特定のシナリオが存在し得る。１つのシナリオにおいて、ＴＤＬＳステーションは、非高効率（ｎｏｎｅ  ｈｉｇｈ  ｅｆｆｉｃｉｅｎｃｙ、ｎｏｎ-ＨＥ）ＡＰに関連付けられる。別のシナリオにおいて、ＴＤＬＳステーションは、ＨＥ  ＡＰに関連付けられる。非ＨＥ  ＡＰシナリオにおいて、非ＨＥ  ＡＰは、ＢＳＳカラーを設定できず、従って、ＨＥ  ＰＰＤＵを用いて、ＴＤＬＳ通信を実行するときに、ＴＤＬＳステーションは、ＨＥ  ＰＰＤＵに含まれるＢＳＳカラーフィールドを設定できない。ＨＥ  ＡＰシナリオにおいて、ＨＥ  ＡＰは、ローカルセルのＢＳＳカラーを設定でき、ＢＳＳカラーは、ＨＥ  ＳＴＡとＨＥ  ＡＰとの間のアップリンク又はダウンリンク通信に用いられる。しかしながら、従来技術では、ＨＥ  ＰＰＤＵを用いることによりＴＤＬＳデータ交換を実行するときに、ＴＤＬＳステーションにより用いられるＢＳＳカラーについての具体的な説明が行われていない。
【発明の概要】
【０００６】
本願の実施形態は、通信方法、第１のステーション、第２のステーション及びアクセスポイントを提供することで、非ＨＥ  ＡＰシナリオにおいて、非ＨＥ  ＡＰがＨＥ  ＳＴＡのＢＳＳカラーを設定できないという課題を解決する。さらに、ＨＥ  ＡＰシナリオにおいて、空間多重化を改善でき、システム効率及びスループットを向上させることができる。
【０００７】
第１の態様によれば、通信方法が提供され、通信方法は、第１のステーションＳＴＡにより、第１の基本サービスセットＢＳＳカラーを判定する段階と、第１のＳＴＡ及び第２のＳＴＡがデバイスツーデバイスＤ２Ｄ伝送を実行するときに、第１のＳＴＡにより、データフレームを生成する段階であって、データフレームは、第１のＢＳＳカラーを含む、段階と、第１のＳＴＡにより、データフレームを第２のＳＴＡに送信する段階とを含む。
【０００８】
本願の実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【０００９】
可能な実装において、データフレームは、高効率物理レイヤコンバージェンスプロシージャプロトコルデータユニットＨＥ  ＰＰＤＵであり、第１のＢＳＳカラーは、ＨＥ  ＰＰＤＵの基本サービスセットＢＳＳカラーフィールドにおいて搬送される。
【００１０】
可能な実装において、第１のステーションＳＴＡにより、第１の基本サービスセットＢＳＳカラーを判定する段階は、第１のＳＴＡにより、第１のＳＴＡ及び第２のＳＴＡが属するＢＳＳのＢＳＳパラメータ、及び、第１のＳＴＡのＳＴＡパラメータ又は第２のＳＴＡのＳＴＡパラメータに従って、第１のＢＳＳカラーを判定する段階であって、ＢＳＳパラメータは、ＢＳＳの基本サービスセット識別子ＢＳＳＩＤ又は第２のＢＳＳカラーを含み、ＳＴＡパラメータは、ＳＴＡのＭＡＣアドレス又はＳＴＡのアソシエーション識別子ＡＩＤを含み、第２のＢＳＳカラーは、ＳＴＡ及び第２のＳＴＡと関連付けられたアクセスポイントＡＰにより設定されたＢＳＳカラーである、段階を含む。
【００１１】
可能な実装において、第１のステーションＳＴＡにより、第１の基本サービスセットＢＳＳカラーを判定する段階は、第１のＳＴＡにより、ＢＳＳＩＤの最後の６ビットを第１のＢＳＳカラーと判定する段階を含む。
【００１２】
可能な実装において、第１のＳＴＡにより、データフレームを生成する段階の前に、方法は、さらに、第１のＳＴＡにより、第１のＳＴＡ及び第２のＳＴＡと関連付けられたアクセスポイントＡＰを用いることによって、トンネルダイレクトリンクセットアップＴＤＳＬセットアップ要求フレームを第２のＳＴＡに送信する段階であって、ＴＤＬＳセットアップ要求フレームは、第１のＢＳＳカラーを含む、段階を含み、その結果、第２のＳＴＡは、第１のＢＳＳカラーを第１のＳＴＡとのＤ２Ｄ伝送を実行するためのＢＳＳカラーと判定する。
【００１３】
可能な実装において、方法は、さらに、第１のＳＴＡにより、ＡＰを用いることによって、第２のＳＴＡにより送信されたＴＤＬＳセットアップ応答フレームを受信する段階であって、ＴＤＬＳセットアップ応答フレームは、第１のＢＳＳカラーを承認すべく用いられる肯定応答メッセージを含む、段階を含む。
【００１４】
可能な実装において、第１のステーションＳＴＡにより、第１の基本サービスセットＢＳＳカラーを判定する段階は、第１のＳＴＡにより、予め設定された固定値を第１のＢＳＳカラーと判定する段階を含む。
【００１５】
可能な実装において、予め設定された固定値は０、１又は６３である。
【００１６】
第２の態様によれば、通信方法が提供され、通信方法は、第２のステーションＳＴＡにより、第１のＳＴＡにより送信されたトンネルダイレクトリンクセットアップＴＤＳＬセットアップ要求フレームを受信する段階であって、ＴＤＬＳセットアップ要求フレームは、第１の基本サービスセットＢＳＳカラーを含む、段階と、第２のＳＴＡにより、第１のＢＳＳカラーを、第１のＳＴＡとのＤ２Ｄ伝送を実行するためのＢＳＳカラーと判定する段階とを含む。
【００１７】
可能な実装において、方法は、さらに、第２のＳＴＡにより、第１のＳＴＡ及び第２のＳＴＡと関連付けられたアクセスポイントＡＰを用いることによって、ＴＤＬＳセットアップ応答フレームを第１のＳＴＡに送信する段階であって、ＴＤＬＳセットアップ応答フレームは、第１のＢＳＳカラーを承認すべく用いられる肯定応答メッセージを含む、段階を含む。
【００１８】
第３の態様によれば、通信方法が提供され、通信方法は、アクセスポイントＡＰにより、第１のステーションＳＴＡにより送信されたトンネルダイレクトリンクセットアップＴＤＳＬセットアップ要求フレームを受信する段階であって、ＴＤＬＳセットアップ要求フレームは、第１の基本サービスセットＢＳＳカラーを含む、段階と、ＡＰにより、ＴＤＬＳセットアップ要求フレームを第２のＳＴＡに送信する段階を含み、その結果、第２のＳＴＡは、第１のＢＳＳカラーを、第１のＳＴＡとのＤ２Ｄ伝送を実行するためのＢＳＳカラーと判定する。
【００１９】
可能な実装において、方法は、さらに、ＡＰにより、第２のＳＴＡにより送信されたＴＤＬＳセットアップ応答フレームを受信する段階であって、ＴＤＬＳセットアップ応答フレームは、第１のＢＳＳカラーを承認すべく用いられる肯定応答メッセージを含む、段階と、ＡＰにより、ＴＤＬＳセットアップ応答フレームを第１のＳＴＡに送信する段階とを含む。
【００２０】
第４の態様によれば、第１のＳＴＡが提供され、第１のＳＴＡは、第１の態様又は第１の態様の任意の可能な実装における方法を実行するように構成される。具体的には、第１のＳＴＡは、第１の態様又は第１の態様の任意の可能な実装における方法を実行するように構成されるユニットを含む。
【００２１】
第５の態様によれば、第２のＳＴＡが提供され、第２のＳＴＡは、第２の態様又は第２の態様の任意の可能な実装における方法を実行するように構成される。具体的には、第２のＳＴＡは、第２の態様又は第２の態様の任意の可能な実装における方法を実行するように構成されるユニットを含む。
【００２２】
第６の態様によれば、アクセスポイントＡＰが提供され、アクセスポイントＡＰは、第３の態様又は第３の態様の任意の可能な実装における方法を実行するように構成される。具体的には、アクセスポイントＡＰは、第３の態様又は第３の態様の任意の可能な実装における方法を実行するように構成されるユニットを含む。
【００２３】
第７の態様によれば、第１のＳＴＡが提供され、第１のＳＴＡは、受信機、送信機、プロセッサ、メモリ及びバスシステムを含む。受信機、送信機、プロセッサ及びメモリは、バスシステムを用いることにより接続される。メモリは、命令を格納するように構成される。プロセッサは、メモリにより格納された命令を実行するように構成され、これにより、受信機を制御して信号を受信し、送信機を制御して信号を送信する。プロセッサがメモリにより格納された命令を実行するときに、プロセッサは、第１の態様又は第１の態様の任意の可能な実装における方法を実行する。
【００２４】
第８の態様によれば、本願は、第２のＳＴＡを提供し、第２のＳＴＡは、受信機、送信機、プロセッサ、メモリ及びバスシステムを含む。受信機、送信機、プロセッサ及びメモリは、バスシステムを用いることにより接続される。メモリは、命令を格納するように構成される。プロセッサは、メモリにより格納された命令を実行するように構成され、これにより、受信機を制御して信号を受信し、送信機を制御して信号を送信する。プロセッサがメモリにより格納された命令を実行するときに、プロセッサは、第２の態様又は第２の態様の任意の可能な実装における方法を実行する。
【００２５】
第９の態様によれば、本願は、アクセスポイントＡＰを提供し、アクセスポイントＡＰは、受信機、送信機、プロセッサ、メモリ及びバスシステムを含む。受信機、送信機、プロセッサ及びメモリは、バスシステムを用いることにより接続される。メモリは、命令を格納するように構成される。プロセッサは、メモリにより格納された命令を実行するように構成され、これにより、受信機を制御して信号を受信し、送信機を制御して信号を送信する。プロセッサがメモリにより格納された命令を実行するときに、プロセッサは、第３の態様又は第３の態様の任意の可能な実装における方法を実行する。
【００２６】
第１０の態様によれば、本願は、コンピュータプログラムを格納するように構成されるコンピュータ可読媒体を提供し、コンピュータプログラムは、第１の態様又は第１の態様の任意の可能な実装における方法を実行するために用いられる命令を含む。
【００２７】
第１１の態様によれば、本願は、コンピュータプログラムを格納するように構成されるコンピュータ可読媒体を提供し、コンピュータプログラムは、第２の態様又は第２の態様の任意の可能な実装における方法を実行するために用いられる命令を含む。
【００２８】
第１２の態様によれば、本願は、コンピュータプログラムを格納するように構成されるコンピュータ可読媒体を提供し、コンピュータプログラムは、第３の態様又は第３の態様の任意の可能な実装における方法を実行するために用いられる命令を含む。
【図面の簡単な説明】
【００２９】
【図１】本願の実施形態に係る適用シナリオの概略図である。
【００３０】
【図２】本願の実施形態に係る通信方法の概略フローチャートである。
【００３１】
【図３】本願の実施形態に係る第１のＳＴＡの概略ブロック図である。
【００３２】
【図４】本願の実施形態に係る第２のＳＴＡの概略ブロック図である。
【００３３】
【図５】本願の実施形態に係るアクセスポイントＡＰの概略ブロック図である。
【００３４】
【図６】本願の実施形態に係る第１のＳＴＡの概略構造図である。
【００３５】
【図７】本願の実施形態に係る第２のＳＴＡの概略構造図である。
【００３６】
【図８】本願の実施形態に係るアクセスポイントＡＰの概略構造図である。
【発明を実施するための形態】
【００３７】
以下では、添付図面を参照して本願における技術的解決手法を説明する。
【００３８】
本願の実施形態は、無線ローカルエリアネットワーク（ｗｉｒｅｌｅｓｓ  ｌｏｃａｌ  ａｒｅａ  ｎｅｔｗｏｒｋ、ＷＬＡＮ）であってよい。現在、ＷＬＡＮで用いられる基準はＩＥＥＥ８０２．１１シリーズである。ＷＬＡＮは、複数のＢＳＳを含んでよく、ＢＳＳ内のネットワークノードＳＴＡである。ＳＴＡは、アクセスポイントステーションＡＰ及び非アクセスポイントステーション（ｎｏｎｅ‐ａｃｃｅｓｓ  ｐｏｉｎｔ  ｓｔａｔｉｏｎ、ｎｏｎ‐ＡＰ  ＳＴＡ）を含む。各ＢＳＳは、１つのＡＰ及び当該ＡＰに関連付けられた複数の非ＡＰ  ＳＴＡを含んでよい。
【００３９】
ＡＰはまた、無線アクセスポイント、ホットスポット等と称され得る。ＡＰは、どのモバイルユーザが有線ネットワークに入るかを用いることによるアクセスポイントであり、ＡＰは、主に、数十から数百メートルの典型的なカバレッジ半径を有する住居又はビル及び公園内に配備されるが、当然ながら、屋外にも配備される。ＡＰは、有線ネットワーク及び無線ネットワークを接続するブリッジに相当する。ＡＰの主な機能は、無線ネットワーククライアントを接続し、次に、無線ネットワーク及びイーサネット（登録商標）ネットワークを接続することである。具体的には、ＡＰは、ワイヤレス・フィディリティ（ｗｉｒｅｌｅｓｓ  ｆｉＤｅｌｉｔｙ、ＷｉＦｉ（登録商標））チップを有する端末デバイス又はネットワークデバイスであってよい。オプションとして、ＡＰは、８０２．１１ａｘ規格をサポートするデバイスであってよい。さらに、オプションとして、ＡＰは、８０２．１１ａｃ、８０２．１１ｎ、８０２．１１ｇ、８０２．１１ｂ及び８０２．１１ａのような複数のＷＬＡＮ規格をサポートするデバイスであってよい。
【００４０】
非ＡＰ  ＳＴＡは、例えば、ＷｉＦｉ（登録商標）通信機能をサポートする携帯電話、ＷｉＦｉ（登録商標）通信機能をサポートするタブレットコンピュータ、ＷｉＦｉ（登録商標）通信機能をサポートするセットトップボックス、ＷｉＦｉ（登録商標）通信機能をサポートするスマートＴＶ、ＷｉＦｉ（登録商標）通信機能をサポートするインテリジェントウェアラブルデバイス、ＷｉＦｉ（登録商標）通信機能をサポートする車両通信デバイス無線通信チップ、ＷｉＦｉ（登録商標）通信機能をサポートするコンピュータ等の無線センサ又は無線通信端末であってよい。オプションとして、ステーションは、８０２．１１ａｘ規格をサポートしてよい。さらに、オプションとして、ステーションは、８０２．１１ａｃ、８０２．１１ｎ、８０２．１１ｇ、８０２．１１ｂ及び８０２．１１ａのような複数のＷＬＡＮ規格をサポートする。
【００４１】
図１は、本願の実施形態に係る適用シナリオの概略図である。図１において、ＳＴＡ１０１、ＳＴＡ１０２、ＳＴＡ１０３、ＳＴＡ１０４及びＳＴＡ１０５は、全て、ＡＰ１１０に関連付けられる。ＳＴＡは、ＨＥ  ＳＴＡであってよく、ＡＰは、ＨＥ  ＡＰ又は非ＨＥ  ＡＰであってよい。ＡＰ１１０によりセットアップされるＢＳＳにおいて、通常のリンク（ＡＰツーＳＴＡ、又は、ＳＴＡツーＡＰ）及びダイレクトリンク（ＳＴＡツーＳＴＡ、つまり、Ｄ２Ｄ）が共存する。ＳＴＡ１０１とＳＴＡ１０２との間の通信は、Ｄ２Ｄ（例えば、ＴＤＬＳ）通信に属し、ＳＴＡ１０４とＳＴＡ１０５との間の通信は、同様に、Ｄ２Ｄ通信に属し、ＳＴＡ１０３とＡＰ１１０との間の通信は、通常のリンク通信に属する。
【００４２】
ＡＰ１１０が非ＨＥ  ＡＰシナリオにあるとき、非ＨＥ  ＡＰは、ＢＳＳカラーを設定できず、従って、ＨＥ  ＰＰＤＵを用いてＴＤＬＳ通信を実行するときに、ＴＤＬＳステーションは、ＨＥ  ＰＰＤＵに含まれるＢＳＳカラーフィールドを設定できない。
【００４３】
ＡＰ１１０がＨＥ  ＡＰシナリオにあるとき、ＨＥ  ＡＰは、ローカルＢＳＳのＢＳＳカラーを設定でき、ＢＳＳカラーは、ＨＥ  ＳＴＡとＨＥ  ＡＰとの間のアップリンク又はダウンリンク通信に用いられる。しかしながら、従来技術では、ＴＤＬＳステーションデータ交換におけるＨＥ  ＰＰＤＵのＢＳＳカラーについて具体的な説明が行われていない。
【００４４】
本願の実施形態において提供される通信方法では、２つのステーションがＤ２Ｄ方式における伝送を実行するときに、専用のＢＳＳカラーが用いられてよい。本願の本実施形態において、専用のＢＳＳカラーは、「第１のＢＳＳカラー（ｃｏｌｏｒ）」と称され得る。このように、一方では、非ＨＥ  ＡＰシナリオにおいて非ＨＥ  ＡＰがＨＥ  ＳＴＡのＢＳＳカラーを設定できないという課題が解決される。他方では、Ｄ２Ｄ伝送を実行するためにＢＳＳカラーを設定することについての課題がＨＥ  ＡＰシナリオにおいて解決される。以下では、本願の実施形態に係る通信方法を具体的に説明する。
【００４５】
本願の実施形態において、第１のＳＴＡ及び第２のＳＴＡは、Ｄ２Ｄ通信の任意の２つのステーションであり、かつ、２つの同等のＳＴＡであることを理解すべきである。つまり、第２のＳＴＡはまた、送信部としての機能を果たし、第１のＳＴＡはまた、受信機としての機能を果たす。これが、本願の本実施形態において限定されることはない。例えば、第１のＳＴＡは、図１に示されるＳＴＡ１０１であってよく、第２のＳＴＡは、ＳＴＡ１０２であってよい。第１のＳＴＡはまた、ＳＴＡ１０４であってよく、第２のＳＴＡは、ＳＴＡ１０５であってよい。
【００４６】
図２は、本願の実施形態に係る通信方法の概略フローチャートである。
【００４７】
Ｓ２１０．第１のステーションＳＴＡは、第１の基本サービスセットＢＳＳカラーを判定する。
【００４８】
Ｓ２２０．第１のＳＴＡ及び第２のＳＴＡがデバイスツーデバイスＤ２Ｄ伝送を実行するときに、第１のＳＴＡはデータフレームを生成し、データフレームは第１のＢＳＳカラーを含む。
【００４９】
Ｓ２３０．第１のＳＴＡは、データフレームを第２のＳＴＡに送信する。
【００５０】
従来技術では、第１のＳＴＡ及び第２のＳＴＡがＨＥ  ＡＰと関連付けられている場合、ＨＥ  ＡＰとのアップリンク又はダウンリンク通信を実行するときに、第１のＳＴＡ又は第２のＳＴＡは、第２のＢＳＳカラーと称されるＨＥ  ＡＰにより設定されたＢＳＳカラーを用いてよい。しかしながら、Ｄ２Ｄ伝送が実行されるときに用いられるＢＳＳカラーについて具体的な説明が行われていない。本願の本実施形態では、第１のＳＴＡ及び第２のＳＴＡがＤ２Ｄ伝送を実行するときに、ＡＰから独立して設定され、かつ、第１のＳＴＡにより自律的に判定され得る第１のＢＳＳカラー、又は、第２のＳＴＡが用いられる。第１のＳＴＡ及び第２のＳＴＡが位置するＢＳＳ内のＳＴＡが非ＨＥ  ＡＰと関連付けられている場合、第１のＳＴＡ及び第２のＳＴＡは、Ｄ２Ｄ伝送を実行するときのＢＳＳカラーを有していない。しかしながら、本願の本実施形態における第１のＳＴＡ及び第２のＳＴＡは、同様のＢＳＳカラー、つまり、第１のＢＳＳカラーを設定してよい。
【００５１】
具体的には、Ｄ２Ｄ伝送の２つのステーション、つまり、第１のＳＴＡ及び第２のＳＴＡは、Ｄ２Ｄ伝送を実行する前に、まず、第１のＢＳＳカラーを判定してよい。概して、第１のＳＴＡ及び第２のＳＴＡにより判定される２つの第１のＢＳＳカラーは同一である。Ｄ２Ｄデータ交換を実行するときに、第１のＳＴＡは、前に判定された第１のＢＳＳカラーに従って、データフレームを生成する、つまり、データフレームは第１のＢＳＳカラーを含む。次に、第１のＳＴＡは、データフレームを第２のＳＴＡに送信する。データフレームを受信した後に、第２のＳＴＡは、データフレーム内の第１のＢＳＳカラーを第２のＳＴＡにより格納されたＢＳＳカラーと比較する。第１のＢＳＳカラーは、第２のＢＳＳに格納されているので、データフレームは、Ｄ２Ｄ伝送ステーションからであることが判定され得る。当然ながら、データフレームは、確実にローカルＢＳＳつまり、第１のＳＴＡ及び第２のＳＴＡが位置するＢＳＳからのものである。
【００５２】
第１のＢＳＳカラー及び第２のＢＳＳカラーが同一である場合、自律的な設定が必要ではないので、ＨＥ  ＡＰシナリオにおいて、ＡＰから独立してＳＴＡにより自律的に設定される第１のＢＳＳカラーは、ＡＰにより割り当てられたＢＳＳカラー、つまり、第２のＢＳＳカラーとは確実に異なることが理解され得る。
【００５３】
本願の本実施形態において、第１のＳＴＡ及び第２のＳＴＡが属するＢＳＳにおけるＤ２Ｄ伝送をセットアップしないステーションはまた、データフレームを受信する。この場合、図１に示されるＳＴＡ１０３が説明のための例として用いられ、２つのケースがある。
【００５４】
ケース１
【００５５】
ＢＳＳ内のステーションは、非ＨＥ  ＡＰと関連付けられる。この場合、非ＨＥ  ＡＰは、ＢＳＳカラーを設定する能力を有しておらず、従って、ＳＴＡ１０３は、ＢＳＳカラーを有していない。データフレームを受信したときに、ＳＴＡ１０３は、データフレームが第１のＢＳＳカラーを搬送することを見つけ、従って、データフレームが隣接ＢＳＳからのものであることが考えられる。
【００５６】
ケース２
【００５７】
ＢＳＳ内のステーションは、ＨＥ  ＡＰと関連付けられる。この場合、ＳＴＡ１０３は、ＨＥ  ＡＰ、つまり、第２のＢＳＳカラーにより設定されたＢＳＳカラーを格納する。データフレームを受信したときに、ＳＴＡ１０３は、データフレーム内の第１のＢＳＳカラーを読み出す。第１のＢＳＳカラーは、ＳＴＡ１０３により格納されたＢＳＳカラーとは異なり、従って、ＳＴＡ１０３は、データフレームが隣接ＢＳＳからのものであると考える。
【００５８】
前述の２つのケースにおいて、ＳＴＡ１０３がクリアチャネルアセスメント（ｃｌｅａｒ  ｃｈａｎｎｅｌ  ａｓｓｅｓｓｍｅｎｔ、ＣＣＡ）を実行するとき、ＣＣＡ閾値はオーバラップ基本サービスセットパケットの検出閾値であり、オーバラップ基本サービスセットパケットの検出閾値は、最小受信閾値（例えば、受信機の-６２ｄＢｍ）より大きい。ＳＴＡ１０３は、データフレームの信号エネルギーとオーバラップ基本サービスセットパケットの検出閾値との間の検出値の関係に従って、チャネルがビジー又はアイドルであるかを判定する。具体的には、データフレームの信号エネルギーがオーバラップ基本サービスセットパケットの検出閾値より大きいことを検出したとき、ＳＴＡ１０３は、チャネルがビジーであると判定し、パケットを破棄してよい。データフレームの信号エネルギーがオーバラップ基本サービスセットパケットの検出閾値より小さいことを検出したとき、ＳＴＡ１０３は、チャネルがアイドルであると判定し、次に、空間多重化により要求される別の条件を判定することを継続する。別の条件が同様に満たされる場合、ＳＴＡ１０３は空間多重化を実行してよい。空間多重化によって、第１のＳＴＡ及び第２のＳＴＡが属するＢＳＳでは、２つのＳＴＡ、つまり、ＳＴＡ１０３及び伝送を実行している隣接セルＳＴＡは、同一のチャネルを用いることによる送信を同時に実行することが可能であり、従って、システム効率及びスループットを向上させることができる。
【００５９】
従来技術では、ＨＥ  ＡＰシナリオにおいて、Ｄ２Ｄ伝送を実行するときに、第１のＳＴＡ及び第２のＳＴＡがＡＰにより設定されたＢＳＳカラーを用い得ることが考えられる。このように、ＳＴＡ１０３がデータフレームを受信したときに、データフレーム内のＢＳＳ識別子はＳＴＡ１０３により格納されたＢＳＳカラーと同一であり、従って、データフレームは、ローカルＢＳＳからのものであると考えられる。この場合、ＳＴＡ１０３は、空間多重化を実行しない。ＳＴＡ１０３は、従来型のＣＣＡ検出を実行して、基本サービスセットパケットの検出閾値（例えば、-８２ｄＢｍ）より小さいＣＣＡ閾値を用いることにより、チャネルがビジー又はアイドルであるかを判定するだけである。チャネルがアイドルである場合、ＳＴＡ１０３は、通常のＷｉＦｉ（登録商標）送信を実行できる。隣接ＢＳＳからのデータフレームについて、ＳＴＡ１０３は、基本サービスセットパケット検出閾値を用いいることにより、ＣＣＡ検出を実行する。
【００６０】
例えば、従来技術では、第１のＳＴＡにより送信されたデータフレーム内の第１のＢＳＳカラー及びＳＴＡ１０３により格納されたＢＳＳカラーの両方が、ＡＰにより設定され、従って、データフレーム内の第１のＢＳＳカラーは、ＳＴＡ１０３により格納されたＢＳＳカラーと同一であり、ＳＴＡ１０３は、第１のＳＴＡにより送信されたデータフレームがローカルＢＳＳからのものであると判定する。ＳＴＡ１０３は、ＣＣＡ閾値の値-８２ｄＢｍを用いて、チャネルがビジー又はアイドルかを判定してよい。データフレームの信号エネルギーが-７２ｄＢｍであることが検出された場合、-７２ｄＢｍが-８２ｄＢｍより大きいので、ＳＴＡ１０３は、チャネルがビジーであると考える。本願の本実施形態において、データフレーム内の第１のＢＳＳカラーは、ＳＴＡ１０３により格納されたＢＳＳカラーとは異なり、従って、ＳＴＡ１０３は、前述のデータフレームが隣接セルからのものであると考え、ＣＣＡ閾値の値-６２ｄＢｍを用いて、チャネルがビジー又はアイドルであるかを判定してよい。データフレームの信号エネルギーが-７２ｄＢｍであることが検出されたとき、-７２ｄＢｍが-６８ｄＢｍより小さいので、ＳＴＡ１０３は、チャネルがアイドルであると考える。この場合、ＳＴＡ１０３は、空間多重化を実行する機会を有する。
【００６１】
従って、本願の本実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【００６２】
オプションとして、データフレームは、高効率物理レイヤコンバージェンスプロシージャプロトコルデータユニットＨＥ  ＰＰＤＵであり、第１のＢＳＳカラーは、ＨＥ  ＰＰＤＵの基本サービスセットＢＳＳカラーフィールドにおいて搬送される。
【００６３】
本願の本実施形態におけるデータフレームは、既存のＨＥ  ＰＰＤＵフレームフォーマットを用いてよい。ＨＥ  ＰＰＤＵ内の高効率信号フィールド（ｈｉｇｈ  ｅｆｆｉｃｉｅｎｃｙ  ｓｉｇｎａｌ  ｆｉｅｌｄ、ＨＥ-ＳＩＧ）は、ＢＳＳカラーフィールドを含む（現在の基準では６ビットが定義される、つまり、利用可能なＢＳＳカラー値は、０から６３までの整数値である。）。非ＨＥ  ＡＰシナリオにおいて、非ＨＥ  ＡＰは、ＢＳＳカラーを設定する能力を有しておらず、従っては、ＢＳＳカラーフィールドは、通常、空である。ＨＥ  ＡＰシナリオにおいて、ＢＳＳカラーフィールドに入る値は、データフレームのソースを示すために用いられる。本願の本実施形態では、ＨＥ  ＰＰＤＵフレームフォーマットが用いられるとき、第１のＢＳＳカラーは、ＢＳＳカラーフィールドにおいて搬送されてよく、第１のＢＳＳカラーは、第１のＳＴＡと第２のＳＴＡとの間のＤ２Ｄ伝送を示すために用いられる。
【００６４】
より具体的には、第１のＳＴＡ及び第２のＳＴＡがＤ２Ｄ伝送を実行するときに、非ＨＥ  ＡＰシナリオにおける第１のＳＴＡは、第１のＢＳＳカラーをデータフレームのＢＳＳカラーフィールドに直接追加してよい。ＨＥ  ＡＰシナリオにおいて、第１のＳＴＡは、第２のＢＳＳカラーをもはや使用しなくてよく、同等に、第１のＢＳＳカラーは、第２のＢＳＳカラーを置き換えるために用いられる。
【００６５】
さらに、本願の本実施形態において、第１のＢＳＳカラーを搬送すべく、新たなフィールドが従来技術におけるデータフレームフォーマットにさらに追加されてよい。
【００６６】
本願の本実施形態におけるＤ２Ｄ伝送がＴＤＬＳプロトコルを用いてよいことを理解するべきである。
【００６７】
本願の本実施形態において、Ｄ２Ｄ伝送のＳＴＡの各ペアの第１のＢＳＳカラーが、同一であってよく、又は、異なっていてよいことに留意されたい。
【００６８】
Ｄ２Ｄ伝送のＳＴＡの各ペアの第１のＢＳＳカラーが同一である場合、Ｄ２Ｄ接続をセットアップするＳＴＡが、Ｄ２Ｄステーションの別のペアのデータフレームを受信したとき、Ｄ２Ｄステーションの別のペアの第１のＢＳＳカラーは、ＳＴＡの第１のＢＳＳカラーと同一なので、データフレームは、ローカルＢＳＳ、つまり、第１のＳＴＡ及び第２のＳＴＡが属するＢＳＳからのものであると考えられる。従って、空間多重化は実行されない。
【００６９】
Ｄ２Ｄ伝送のＳＴＡの各ペアの第１のＢＳＳカラーが異なる場合、Ｄ２Ｄ伝送のＳＴＡのペア（例えば、ＳＴＡ１０４）が、Ｄ２Ｄ伝送のＳＴＡの別のペア（例えば、ＳＴＡ１０１）により送信されたデータフレームを受信したとき、データフレームは、隣接ＢＳＳからのものであると判定される。従って、チャネルがアイドルであることが検出された場合、ＳＴＡ１０４は、空間多重化を実行する機会を有し、その結果、システム効率をさらに向上させることができる。
【００７０】
オプションとして、第１のＳＴＡがデータフレームを生成する前に、方法は、さらに、Ｓ２４０を含んでよい。第１のＳＴＡは、第１のＳＴＡ及び第２のＳＴＡと関連付けられたアクセスポイントＡＰを用いることにより、トンネルダイレクトリンクセットアップＴＤＳＬセットアップ要求フレームを第２のＳＴＡに送信し、ＴＤＬＳセットアップ要求フレームは、第１のＢＳＳカラーを含み、その結果、第１のＢＳＳカラーを、第２のＳＴＡは、第１のＳＴＡとのＤ２Ｄ伝送を実行するためのＢＳＳカラーと判定する。
【００７１】
具体的には、第１のＳＴＡと第２のＳＴＡとの間のＤ２Ｄ接続をセットアップする手順において、第１のＢＳＳカラーが設定されてよい。第１のＳＴＡは、第１のＢＳＳカラーとしての値を選択し、情報フィールドをＴＤＬＳセットアップ要求フレームに追加してよく、又は、アイドルフィールドを用いることにより、又は、既存のフィールドを再利用することにより、選択された第１のＢＳＳカラーを搬送し、次に、ＴＤＬＳセットアップ要求フレームをＡＰに送信してよい。ＴＤＬＳセットアップ要求フレームを受信した後に、ＡＰは、ＴＤＬＳセットアップ要求フレームを第２のＳＴＡに転送する。このように、ＴＤＬＳセットアップ要求フレームを受信したときに、第２のＳＴＡは、これに対応して、第１のＢＳＳカラーを格納し、第１のＳＴＡとのデータ交換を実行するための第１のＢＳＳカラーとして、第１のＳＴＡにより送信された第１のＢＳＳカラーを用いてよい。
【００７２】
オプションとして、方法は、さらに、２５０を含む。第１のＳＴＡは、ＡＰを用いることにより、第２のＳＴＡにより送信されたＴＤＬＳセットアップ応答フレームを受信し、ＴＤＬＳセットアップ応答フレームは、第１のＢＳＳカラーを承認すべく用いられる肯定応答メッセージを含む。
【００７３】
第２のＳＴＡがＴＤＬＳセットアップ要求フレームを受信した後に、第２のＳＴＡは、第１のＳＴＡに送信されるＴＤＬＳセットアップ応答フレームに情報フィールドを追加してよい、又は、アイドルフィールドを用いることにより、又は、既存のフィールドを再利用することにより、肯定応答メッセージを置いてよく、これにより、第１のＢＳＳカラーを判定する。ＡＰにより転送されたＴＤＬＳセットアップ応答フレームを受信した後に、肯定応答メッセージを読み出すことにより、第１のＳＴＡは、第１のＢＳＳカラーを用いてＤ２Ｄ伝送を実行することを判定してよい。
【００７４】
本願の本実施形態における通信方法によれば、Ｄ２Ｄステーションが第１のＢＳＳカラーを設定することを交渉するときに、Ｄ２Ｄステーションの各ペアは、異なる第１のＢＳＳカラーを用いてよい、つまり、Ｄ２Ｄステーションの各ペアは、別々に、１つの仮想セルになり得る。このように、Ｄ２Ｄステーションのペアの通信中に、Ｄ２Ｄステーションのペア以外のすべての他のＳＴＡは、空間多重化を実行する機会があり得、その結果、システム効率を向上させることができる。
【００７５】
オプションとして、第１のＢＳＳカラーを判定するときに、第１のＳＴＡは、予め設定された固定値を第１のＢＳＳカラーと判定してよい。この場合、ローカルＢＳＳにおいてＤ２Ｄ接続をセットアップするすべてのＳＴＡの第１のＢＳＳカラーは同一である。
【００７６】
例えば、予め設定された固定値は０であってよく、又は、予め設定された固定値は１であってよく、又は、６３であってよく、本願の本実施形態において限定はされることはない。
【００７７】
Ｄ２Ｄ伝送を実行するときに、第１のＳＴＡ及び第２のＳＴＡは、予め設定された固定値を第１のＢＳＳカラーとして用いてデータを送信及び受信してよい。具体的には、第１のＳＴＡ及び第２のＳＴＡが、関連するＡＰを用いることによりＤ２Ｄ接続をセットアップした後に、第１のＳＴＡは、予め設定された固定値をデータフレーム（例えば、ＨＥ  ＰＰＤＵのＢＳＳカラーフィールド）に複製し、次に、第２のＳＴＡとのデータ交換を実行すべく、データフレームを第２のＳＴＡに送信する。第１のＳＴＡにより送信されたデータフレームを受信したときに、ＳＴＡ（ローカルＢＳＳ又は隣接ＢＳＳのＳＴＡ）は、予め設定された固定値を用いて、データフレームがローカルＢＳＳ又は隣接ＢＳＳからのものであるかを判定してよい。
【００７８】
ＨＥ  ＡＰシナリオにおいて、ローカルＢＳＳにおけるＤ２Ｄ接続をセットアップしないＳＴＡについては、同様に、ＳＴＡ１０３が説明のための例として用いられ、データフレームを受信したときい、ＳＴＡ１０３は、ＳＴＡ１０３により格納されたＢＳＳカラーフィールド内のＢＳＳカラーが、予め設定された固定値とは異なると判定してよい。この場合、ＳＴＡ１０３は、データフレームが隣接セルからのものであると考える。ＣＣＡが実行され、チャネルがアイドルであると判定された後に、ＳＴＡ１０３は、空間多重化により要求される別の条件を判定することを継続してよい。別の条件が同様に満たされる場合、ＳＴＡ１０３は、空間多重化を実行してよい。さらに、このシナリオにおいて、ＡＰと通信するときに、ＳＴＡは、ＡＰにより設定されたＢＳＳカラーを依然として用いる。少なくとも１つの第１のＢＳＳカラー及び１つのＢＳＳカラーが第１のＳＴＡ及び第２のＳＴＡステーションに格納され、それぞれ、Ｄ２Ｄ伝送及びＡＰの通信に用いられることに留意されたい。Ｄ２Ｄ接続をセットアップするステーションが伝送フレームを受信したときに、伝送フレームに含まれる第１のＢＳＳカラー又はＢＳＳカラーが、ステーションにより格納された第１のＢＳＳカラー又は第２のＢＳＳカラーに等しい場合、Ｄ２Ｄステーションは、ローカルＢＳＳのフレームが受信されたと考える。この場合、Ｄ２Ｄ接続をセットアップするステーションは、空間多重化を実行しない。
【００７９】
第２のＳＴＡは、複数のＢＳＳカラーを格納してよく、例えば、ＡＰと通信するための第２のＢＳＳカラー及び第１のＳＴＡと通信するための第１のＢＳＳカラーを同時に格納してよいことが理解されるべきである。あるいは、第２のＳＴＡが第３のＳＴＡ（ローカルＢＳＳ内の１つのＳＴＡ）とのＤ２Ｄ接続をさらにセットアップする場合、第２のＳＴＡは、第３のＳＴＡとのＤ２Ｄ伝送を実行するためのＢＳＳカラーをさらに格納してよい。
【００８０】
オプションとして、第１のＢＳＳカラーを判定するときに、第１のＳＴＡは、ＢＳＳパラメータに従って第１のＢＳＳカラーを判定してよい。この場合、ローカルＢＳＳにおいてＤ２Ｄ接続をセットアップするすべてのＳＴＡの第１のＢＳＳカラーは同一である。
【００８１】
例えば、第１のＢＳＳカラーは、ローカルＢＳＳの基本サービスセット識別子（ｂａｓｉｃ  ｓｅｒｖｉｃｅ  ｓｅｔ  ｉｄｅｎｔｉｆｉｅｒ、ＢＳＳＩＤ）に従って判定されてよい。具体的には、ＢＳＳＩＤの最後の数ビットが第１のＢＳＳカラーとして用いられてよい。別の例について、第１のＢＳＳカラーは、第２のＢＳＳカラーに従って判定されてよい。より具体的には、第２のＢＳＳカラーの値＋１が第１のＢＳＳカラーとして用いられてよい。
【００８２】
本願の本実施形態では、第１のＳＴＡ及び第２のＳＴＡがＨＥ  ＡＰと関連付けられるシナリオにおいて、ＡＰは、第１のＢＳＳカラーを取得し、第１のＢＳＳカラーを格納してよい。ＡＰは、第１のＢＳＳカラーを含む伝送フレーム（例えば、第１のＳＴＡにより送信されたデータフレーム）を受信し、伝送フレーム内の第１のＢＳＳカラーを読み出し、ＡＰにより格納された第１のＢＳＳカラーと、伝送フレーム内の第１のＢＳＳカラーとを比較することにより、伝送フレームがローカルＢＳＳからのものであると判定してよい。従って、ＡＰは、空間多重化を実行しない。先述の方法によって、ＡＰが空間多重化を実行することが可能である場合に、ＡＰが、Ｄ２Ｄ伝送を実行しているステーションにダウンリンクデータを送信することで、Ｄ２Ｄ伝送のステーションの受信衝突を引き起こすという問題が回避され得る。
【００８３】
従って、本願の本実施形態では、Ｄ２ＤステーションがＤ２Ｄ伝送用に同一の第１のＢＳＳカラーを用いるとき、Ｄ２Ｄステーションは、仮想セルを構成してよい。このように、Ｄ２Ｄステーションが通信するときに、Ｄ２Ｄ接続をセットアップしない別のステーションは、空間多重化を実行する機会を有し得る。
【００８４】
オプションとして、第１のＳＴＡが第１のＢＳＳカラーを判定するときに、第１のＳＴＡは、第１のＳＴＡ又は第２のＳＴＡのパラメータに従って、第１のＢＳＳカラーを判定してよい。
【００８５】
例えば、第１のＢＳＳカラーは、第１のＳＴＡ又は第２のＳＴＡのメディアアクセス制御（ｍｅｄｉａ  ａｃｃｅｓｓ  ｃｏｎｔｒｏｌ、ＭＡＣ）アドレスに従って判定されてよい。具体的には、ＭＡＣアドレスの数ビットが第１のＢＳＳカラーとして用いられてよい。さらに、第１のＢＳＳカラーは、第１のＳＴＡ又は第２のＳＴＡのアソシエーション識別子（ａｓｓｏｃｉａｔｉｏｎ  ｉｄｅｎｔｉｆｉｅｒ、ＡＩＤ）に従って判定されてもよい。具体的には、ＡＩＤの最後の数ビットが第１のＢＳＳカラーとして用いられてよい。これが、本願の本実施形態において限定されることはない。
【００８６】
本願の本実施形態では、第１のＳＴＡ及び第２のＳＴＡがＨＥ  ＡＰと関連付けられるシナリオにおいて、ＡＰは、第１のＢＳＳカラーを取得し、第１のＢＳＳカラーを格納してよい。ＡＰは、第１のＢＳＳカラーを含む伝送フレーム（例えば、第１のＳＴＡにより送信されたデータフレーム）を受信し、伝送フレーム内の第１のＢＳＳカラーを読み出し、ＡＰにより格納された第１のＢＳＳカラーと、伝送フレーム内の第１のＢＳＳカラーとを比較することにより、伝送フレームがローカルＢＳＳからのものであると判定してよい。従って、ＡＰは、空間多重化を実行しない。先述の方法によって、ＡＰが空間多重化を実行することが可能である場合に、ＡＰがＤ２Ｄ伝送を実行しているステーションにダウンリンクデータを送信することで、Ｄ２Ｄ伝送のステーションの受信衝突を引き起こすという問題が回避され得る。
【００８７】
本願の本実施形態における通信方法によれば、Ｄ２Ｄステーションが第１のＢＳＳカラーを設定するときに、Ｄ２Ｄステーションの各ペアは、異なる第１のＢＳＳカラーを用いて設定してよい、つまり、Ｄ２Ｄステーションの各ペアは、別々に、１つの仮想セルになり得る。このように、Ｄ２Ｄステーションのペアの通信中に、Ｄ２Ｄステーションのペア以外の全ての他のステーションは、空間多重化を実行する機会を有し得る。図１が例として用いられる。ＳＴＡ１０１及びＳＴＡ１０２がＤ２Ｄ伝送を実行するとき、この場合、ＳＴＡ３が空間多重化を実行する機会を有するだけでなく、ＳＴＡ１０３及びＳＴＡ１０５も、空間多重化を実行する機会を有する。
【００８８】
上記では、図１及び図２を参照して詳細に本願の実施形態に係る通信方法を説明した。以下では、図３から図５を参照して、本願の実施形態に係るステーション及びアクセスポイントを説明する。
【００８９】
図３は、本願の実施形態に係る第１のＳＴＡ３００の概略ブロック図を示す。図３に示されるように、第１のＳＴＡ３００は、判定ユニット３１０、生成ユニット３２０及び送信ユニット３３０を含む。
【００９０】
判定ユニット３１０は、第１の基本サービスセットＢＳＳカラーを判定するように構成される。
【００９１】
第１のＳＴＡ及び第２のＳＴＡがデバイスツーデバイスＤ２Ｄ伝送を実行するときに、生成ユニット３２０はデータフレームを生成するように構成され、データフレームは第１のＢＳＳカラーを含む。
【００９２】
送信ユニット３３０は、データフレームを第２のＳＴＡに送信するように構成される。
【００９３】
本願の本実施形態に係る第１のＳＴＡ３００のユニットの前述の及び他の動作又は機能は、それぞれ、前述した方法における第１のＳＴＡにより実行される対応する手順を実行するために用いられる。簡潔にするために、ここでは詳細を説明しない。
【００９４】
従って、本願の本実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが、隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【００９５】
図４は、本願の実施形態に係る第２のＳＴＡ４００の概略ブロック図を示す。図４において示されるように、第２のＳＴＡ４００は、受信ユニット４１０及び判定ユニット４２０を含む。
【００９６】
受信ユニット４１０は、第１のＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【００９７】
判定ユニット４２０は、第１のＢＳＳカラーを、第１のＳＴＡとのＤ２Ｄ伝送を実行するためのＢＳＳカラーと判定するように構成される。
【００９８】
本願の本実施形態に係る第２のＳＴＡ４００のユニットの前述の及び他の動作又は機能は、それぞれ、前述した方法における第２のＳＴＡにより実行される対応する手順を実行するために用いられる。簡潔にするために、ここでは詳細を説明しない。
【００９９】
図５は、本発明の実施形態に係るアクセスポイントＡＰ５００の概略ブロック図を示す。図５に示されるように、アクセスポイントＡＰ５００は、受信ユニット５１０及び送信ユニット５２０を含む。
【０１００】
受信ユニット５１０は、第１のステーションＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【０１０１】
送信ユニット５２０は、ＴＤＬＳセットアップ要求フレームを第２のＳＴＡに送信するように構成され、その結果、第２のＳＴＡは、第１のＢＳＳカラーを、第１のＳＴＡとのＤ２Ｄ伝送を実行するためのＢＳＳカラーと判定する。
【０１０２】
本願の本実施形態に係るアクセスポイントＡＰ５００のユニットの前述の及び他の動作又は機能は、それぞれ、前述した方法におけるＡＰにより実行される対応する手順を実行するために用いられる。簡潔にするために、ここでは詳細を説明しない。
【０１０３】
上記では、図１及び図２を参照して詳細に本願の実施形態に係る通信方法を説明した。以下では、図６から図８を参照して、本願の実施形態に係るステーション及びアクセスポイントを説明する。
【０１０４】
図６は、本願の実施形態に係る第１のＳＴＡ６００の概略構造図である。図６に示されるように、信号伝送エンドデバイス６００は、受信機６１０、送信機６２０、プロセッサ６３０、メモリ６４０及びバスシステム６６０を含む。受信機６１０、送信機６２０、プロセッサ６３０及びメモリ６４０は、バスシステム６６０を用いることにより接続される。メモリ６４０は、命令を格納するように構成される。プロセッサ６３０は、メモリ６４０に格納された命令を実行するように構成され、これにより、受信機６１０を制御して信号を受信し、送信機６２０を制御して信号を送信する。
【０１０５】
プロセッサ６３０は、第１の基本サービスセットＢＳＳカラーを判定するように構成される。
【０１０６】
第１のＳＴＡ及び第２のＳＴＡがデバイスツーデバイスＤ２Ｄ伝送を実行するときに、プロセッサ６３０は、さらに、データフレームを生成するように構成され、データフレームは第１のＢＳＳカラーを含む。
【０１０７】
送信機６２０は、データフレームを第２のＳＴＡに送信するように構成される。
【０１０８】
本願の本実施形態において、プロセッサ６３０は、中央演算処理装置（ｃｅｎｔｒａｌ  ｐｒｏｃｅｓｓｉｎｇ  ｕｎｉｔ、ＣＰＵ）であってよい、又は、プロセッサ６３０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート又はトランジスタロジックデバイス、個別のハードウェア構成要素等であってよいことが理解されるべきである。汎用プロセッサは、マイクロプロセッサであってよく、又は、このプロセッサは、任意の通常のプロセッサ等であってよい。
【０１０９】
メモリ６４０は、リードオンリメモリ及びランダムアクセスメモリを含んでよく、命令及びデータをプロセッサ６３０に提供する。メモリ６４０の一部は、不揮発性ランダムアクセスメモリをさらに含んでよい。例えば、メモリ６４０は、デバイスタイプについての情報をさらに格納してよい。
【０１１０】
データバスに加えて、バスシステム６６０は、電力バス、コントロールバス、ステータス信号バス等を含んでよい。しかしながら、説明を明確にするために、図中のバスシステム６６０として、様々なバスが示される。
【０１１１】
実装処理では、前述した方法における段階が、プロセッサ６３０内のハードウェア又はソフトウェアの形式の命令の統合された論理回路によって遂行され得る。本願の実施形態を参照して開示された通信方法の段階は、ハードウェアプロセッサにより直接的に実行されてよい、又は、プロセッサ内のハードウェア及びソフトウェアモジュールの組み合わせを用いることにより実行されてよい。ソフトウェアモジュールは、ランダムアクセスメモリ、フラッシュメモリ、リードオンリメモリ、プログラマブルリードオンリメモリ、電気的消去可能プログラマブルメモリ又はレジスタのような、当該分野において成熟した記憶媒体に配置されてよい。記憶媒体は、メモリ６４０に配置される。プロセッサ６３０は、メモリ６４０内の情報を読み出し、プロセッサのハードウェア６３０と組み合わせて先述の方法の段階を遂行する。繰り返しを避けるために、ここでは詳細を繰り返し説明しない。
【０１１２】
本願の本実施形態に係る第１のＳＴＡ６００のユニットの前述の及び他の動作又は機能は、それぞれ、前述した方法における第１のＳＴＡにより実行される対応する手順を実行するために用いられる。簡潔にするために、ここでは詳細を説明しない。
【０１１３】
従って、本願の本実施形態における通信方法によれば、第１のＢＳＳカラーがＤ２Ｄデータフレームにおいて搬送され、その結果、データフレームを受信したときに、第１のＳＴＡ及び第２のＳＴＡが属するＢＳＳ内の別の受信ステーションは、当該フレームが、隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【０１１４】
図７は、本願の実施形態に係る第２のＳＴＡ７００の概略構造図である。図７に示されるように、信号伝送エンドデバイス７００は、受信機７１０、送信機７２０、プロセッサ７３０、メモリ７４０及びバスシステム７７０を含む。受信機７１０、送信機７２０、プロセッサ７３０及びメモリ７４０は、バスシステム７７０を用いることにより接続される。メモリ７４０は、命令を格納するように構成される。プロセッサ７３０は、メモリ７４０により格納された命令を実行するように構成され、これにより、受信機７１０を制御して信号を受信し、送信機７２０を制御して信号を送信する。
【０１１５】
受信機７１０は、第１のＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【０１１６】
送信機７２０は、第１のＢＳＳカラーを、第１のＳＴＡとのＤ２Ｄ伝送を実行するためのＢＳＳカラーと判定するように構成される。
【０１１７】
本願の本実施形態において、プロセッサ７３０は、中央演算処理装置（ｃｅｎｔｒａｌ  ｐｒｏｃｅｓｓｉｎｇ  ｕｎｉｔ、ＣＰＵ）であってよい、又は、プロセッサ７３０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート又はトランジスタロジックデバイス、個別のハードウェア構成要素等であってよいことが理解されるべきである。汎用プロセッサは、マイクロプロセッサであってよく、又は、このプロセッサは、任意の通常のプロセッサ等であってよい。
【０１１８】
メモリ７４０は、リードオンリメモリ及びランダムアクセスメモリを含んでよく、命令及びデータをプロセッサ７３０に提供する。メモリ７４０の一部は、不揮発性ランダムアクセスメモリをさらに含んでよい。例えば、メモリ７４０は、デバイスタイプについての情報をさらに格納してよい。
【０１１９】
データバスに加えて、バスシステム７７０は、電力バス、コントロールバス、ステータス信号バス等を含んでよい。しかしながら、説明を明確にするために、図中のバスシステム７７０として、様々なバスが示される。
【０１２０】
実装処理では、前述した方法における段階が、プロセッサ７３０内のハードウェア又はソフトウェアの形式の命令の統合された論理回路によって遂行され得る。本願の実施形態を参照して開示された通信方法の段階は、ハードウェアプロセッサにより直接的に実行されてよい、又は、プロセッサ内のハードウェア及びソフトウェアモジュールの組み合わせを用いることにより実行されてよい。ソフトウェアモジュールは、ランダムアクセスメモリ、フラッシュメモリ、リードオンリメモリ、プログラマブルリードオンリメモリ、電気的消去可能プログラマブルメモリ又はレジスタのような、当該分野において成熟した記憶媒体に配置されてよい。記憶媒体は、メモリ７４０に配置される。プロセッサ７３０は、メモリ７４０内の情報を読み出し、プロセッサのハードウェア７３０と組み合わせて先述の方法の段階を遂行する。繰り返しを避けるために、ここでは詳細を繰り返し説明しない。
【０１２１】
本願の本実施形態に係る第２のＳＴＡ７００のユニットの前述の及び他の動作又は機能は、それぞれ、前述した方法における第２のＳＴＡにより実行される対応する手順を実行するために用いられる。簡潔にするために、ここでは詳細を説明しない。
【０１２２】
図８は、本願の実施形態に係るアクセスポイントＡＰ８００の概略構造図である。図８に示されるように、信号伝送エンドデバイス８００は、受信機８１０、送信機８２０、プロセッサ８３０、メモリ８４０及びバスシステム８８０を含み、受信機８１０、送信機８２０、プロセッサ８３０及びメモリ８４０は、バスシステム８８０を用いることにより接続される。メモリ８４０は、命令を格納するように構成される。プロセッサ８３０は、メモリ８４０により格納された命令を実行するように構成され、これにより、受信機８１０を制御して信号を受信し、送信機８２０を制御して信号を送信する。
【０１２３】
受信機８１０は、第１のステーションＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【０１２４】
送信機８２０は、ＴＤＬＳセットアップ要求フレームを第２のＳＴＡに送信するように構成され、その結果、第２のＳＴＡは、第１のＢＳＳカラーを、第１のＳＴＡとのＤ２Ｄ伝送を実行するためのＢＳＳカラーと判定する。
【０１２５】
本願の本実施形態において、プロセッサ８３０は、中央演算処理装置（ｃｅｎｔｒａｌ  ｐｒｏｃｅｓｓｉｎｇ  ｕｎｉｔ、ＣＰＵ）であってよい、又は、プロセッサ８３０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート又はトランジスタロジックデバイス、個別のハードウェア構成要素等であってよいことが理解されるべきである。汎用プロセッサは、マイクロプロセッサであってよく、又は、このプロセッサは、任意の通常のプロセッサ等であってよい。
【０１２６】
メモリ８４０は、リードオンリメモリ及びランダムアクセスメモリを含んでよく、命令及びデータをプロセッサ８３０に提供する。メモリ８４０の一部は、不揮発性ランダムアクセスメモリをさらに含んでよい。例えば、メモリ８４０は、デバイスタイプについての情報をさらに格納してよい。
【０１２７】
データバスに加えて、バスシステム８８０は、電力バス、コントロールバス、ステータス信号バス等を含んでよい。しかしながら、説明を明確にするために、図中のバスシステム８８０として、様々なバスが示される。
【０１２８】
実装処理では、前述した方法における段階が、プロセッサ８３０内のハードウェア又はソフトウェアの形式の命令の統合された論理回路によって遂行され得る。本願の実施形態を参照して開示された通信方法の段階は、ハードウェアプロセッサにより直接的に実行されてよい、又は、プロセッサ内のハードウェア及びソフトウェアモジュールの組み合わせを用いることにより実行されてよい。ソフトウェアモジュールは、ランダムアクセスメモリ、フラッシュメモリ、リードオンリメモリ、プログラマブルリードオンリメモリ、電気的消去可能プログラマブルメモリ又はレジスタのような、当該分野において成熟した記憶媒体に配置されてよい。記憶媒体は、メモリ８４０に配置される。プロセッサ８３０は、メモリ８４０内の情報を読み出し、プロセッサのハードウェア８３０と組み合わせて先述の方法の段階を遂行する。繰り返しを避けるために、ここでは詳細を繰り返し説明しない。
【０１２９】
本願の本実施形態に係るアクセスポイントＡＰ８００のユニットの前述の及び他の動作又は機能は、それぞれ、前述した方法におけるＡＰにより実行される対応する手順を実行するために用いられる。簡潔にするために、ここでは詳細を説明しない。
【０１３０】
従って、本願の本実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが、隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【０１３１】
本明細書における「及び／又は」という用語は、関連する対象を説明するための関連関係のみを説明し、３つの関係が存在し得ることを表す。例えば、Ａ及び／又はＢは、Ａのみが存在すること、Ａ及びＢの両方が存在すること、及びＢのみが存在することの３つのケースを表してよい。さらに、本明細書における記号「／」は、概して、関連するオブジェクト間の「又は」の関係を示す。
【０１３２】
先述の処理のシーケンス番号は、様々な本願の実施形態における実行順序を意味するものでないことが理解されるべきである。処理の実行順序は、処理の機能及び内部論理に従って判定されるべきであり、本願の実施形態の実装処理についてのいかなる限定として解釈されるべきでない。
【０１３３】
当業者であれば、本明細書において開示される実施形態を参照して説明された例におけるユニット及びアルゴリズム段階が、電子的ハードウェア、又は、コンピュータソフトウェア及び電子的ハードウェアの組み合わせにより実装されてよいことが認識され得る。機能が、ハードウェアにより実行されるか、又は、ソフトウェアにより実行されるかは、技術的解決手法の特定の用途及び設計制約条件に依存する。当業者であれば、それぞれの特定の用途に対して説明された機能を実行すべく異なる方法を用いてよいが、その実装が本願の範囲を超えるものと考えられるべきではない。
【０１３４】
簡便及び簡潔な説明の目的で、先述のシステム、装置及びユニットの詳細な動作処理について、前述した方法の実施形態における対応する処理への参照が行われてよく、詳細は説明しないものであることが当業者により明確に理解され得る。
【０１３５】
本願において提供されるいくつかの実施形態において、開示されたシステム、装置及び方法は、他の方式で実装されてよいことが理解されるべきである。例えば、説明された装置の実施形態は例に過ぎない。例えば、ユニットの区分は、論理的な機能区分に過ぎず、実際の実装では、他の区分であってよい。例えば、複数のユニット又はコンポーネントは、別のシステムに組み合わされ又は統合されてよい、又は、いくつか機能が無視又は実行されなくてよい。さらに、表示され又は論じられた相互結合又は直接結合又は通信接続は、いくつかのインタフェース、間接的な結合又は装置間又はユニット間の通信接続若しくは電気的な接続、機械的接続若しくは他の形態における接続を通じて実装されてよい。
【０１３６】
別個のパーツとして説明されたユニットは、物理的に分離されてもされていなくてよく、ユニットとして表示されるパーツは、物理ユニットであってもそうでなくてもよく、１か所に配置されてもよく、複数のネットワークユニットに分散されてもよい。ユニットの一部又はすべては、実施形態の解決手段の目的を達成するために、実際のニーズに従って選択されてよい。
【０１３７】
さらに、本願の実施形態における機能ユニットは、１つの処理ユニットに統合されてよい、又は、ユニットのそれぞれは、物理的に単独で存在してもよく、又は、２つ又はそれより多いユニットは、１つのユニットに統合される。
【０１３８】
ソフトウェア機能ユニットの形式で機能が実装され、別個の製品として販売又は使用されるとき、機能は、コンピュータ可読記憶媒体に格納されてよい。そのような理解に基づいて、基本的に本願の技術的解決手法又は従来技術に対して貢献する部分又は技術的解決手法のいくつかが、ソフトウェア製品の形式で実装されてよい。ソフトウェア製品は、記憶媒体に格納され、コンピュータデバイス（パーソナルコンピュータ、サーバ、又はネットワークデバイスであってよい）に、本発明の実施形態において説明された方法の段階の全て又はいくつかを実行するように命令するためのいくつかの命令を含む。前述の記憶媒体は、ＵＳＢフラッシュドライブ、リムーバブルハードディスク、リードオンリメモリ（Ｒｅａｄ-Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクのような、プログラムコードを格納できる任意の媒体を含む。
【０１３９】
前述の説明は、本願の特定の実装に過ぎず、本願の保護範囲を制限することを意図したものではない。本願において開示された技術的範囲内で、当業者により容易に考え出される任意の変形又は置換が本願の保護範囲に含まれるものとする。従って、本願の保護範囲は、特許請求の範囲の保護範囲に従うものとする。
【図１】
2019518379.tif 000003
【図２】
2019518379.tif 000004
【図３】
2019518379.tif 000005
【図４】
2019518379.tif 000006
【図５】
2019518379.tif 000007
【図６】
2019518379.tif 000008
【図７】
2019518379.tif 000009
【図８】
2019518379.tif 000010
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
通信方法であって、
第１のステーション（ＳＴＡ）により、第１の基本サービスセット（ＢＳＳ）カラーを設定する段階と、
前記第１のＳＴＡ及び第２のＳＴＡがデバイスツーデバイス（Ｄ２Ｄ）伝送を実行するときに、前記第１のＳＴＡにより、データフレームを生成する段階であって、前記データフレームは前記第１のＢＳＳカラーを有する、段階と、
前記第１のＳＴＡにより、前記データフレームを前記第２のＳＴＡに送信する段階と
を備える方法。
【請求項２】
第１のステーション（ＳＴＡ）により、前記第１のＢＳＳカラーを設定する段階は、
第１のステーション（ＳＴＡ）により、前記Ｄ２Ｄ伝送をセットアップする手順において、前記第１のＢＳＳカラーを設定する段階を有する、請求項１に記載の方法。
【請求項３】
前記データフレームは、高効率物理レイヤコンバージェンスプロシージャプロトコルデータユニット（ＨＥ  ＰＰＤＵ）であり、前記第１のＢＳＳカラーは、前記ＨＥ  ＰＰＤＵのＢＳＳカラーフィールドにおいて搬送される、請求項１又は２に記載の方法。
【請求項４】
前記第１のＳＴＡにより、データフレームを前記生成する段階の前に、前記方法は、さらに、
前記第１のＳＴＡにより、前記第１のＳＴＡ及び前記第２のＳＴＡに関連付けられたアクセスポイント（ＡＰ）を用いることにより、トンネルダイレクトリンクセットアップ（ＴＤＬＳ）セットアップ要求フレームを前記第２のＳＴＡに送信する段階であって、前記ＴＤＬＳセットアップ要求フレームは前記第１のＢＳＳカラーを有する、段階を備える、請求項１から３のいずれか一項に記載の方法。
【請求項５】
前記方法は、さらに、
前記第１のＳＴＡにより、前記ＡＰを用いることによって、前記第２のＳＴＡにより送信されたＴＤＬＳセットアップ応答フレームを受信する段階であって、前記ＴＤＬＳセットアップ応答フレームは、前記第１のＢＳＳカラーを承認すべく用いられる肯定応答メッセージを有する、段階を備える、請求項４に記載の方法。
【請求項６】
通信方法であって、
第２のステーション（ＳＴＡ）により、第１のＳＴＡにより送信されたデータフレームを受信する段階であって、前記データフレームは、第１の基本サービスセット（ＢＳＳ）カラーを有する、段階と、
前記第２のＳＴＡにより、前記第１のＢＳＳカラーを、前記第１のＳＴＡとのデバイスツーデバイス（Ｄ２Ｄ）伝送を実行するためのＢＳＳカラーと判定する段階と
を備える方法。
【請求項７】
前記データフレームは、高効率物理レイヤコンバージェンスプロシージャプロトコルデータユニット（ＨＥ  ＰＰＤＵ）であり、前記第１のＢＳＳカラーは、前記ＨＥ  ＰＰＤＵのＢＳＳカラーフィールドにおいて搬送される、請求項６に記載の方法。
【請求項８】
前記第１のＳＴＡにより送信された前記データフレームを受信する段階の前に、前記方法は、さらに、
前記第２のＳＴＡにより、前記第１のＳＴＡ及び前記第２のＳＴＡと関連付けられたアクセスポイント（ＡＰ）を用いることにより、前記第１のＳＴＡにより送信されたトンネルダイレクトリンクセットアップ（ＴＤＬＳ）セットアップ要求フレームを受信する段階であって、前記ＴＤＬＳセットアップ要求フレームは、前記第１のＢＳＳカラーを有する、段階を備える、請求項６に記載の方法。
【請求項９】
前記方法は、さらに、
前記第２のＳＴＡにより、前記ＡＰを用いることによって、ＴＤＬＳセットアップ応答フレームを前記第１のＳＴＡに送信する段階であって、前記ＴＤＬＳセットアップ応答フレームは、前記第１のＢＳＳカラーを承認すべく用いられる肯定応答メッセージを有する、段階を備える、請求項８に記載の方法。
【請求項１０】
第１のステーション（ＳＴＡ）であって、プロセッサと、メモリと、トランシーバとを備え、
前記メモリは命令を格納しており、前記命令は、前記プロセッサにより実行されるときに、前記第１のＳＴＡに、請求項１から５のいずれか一項に記載の方法を実行させる、第１のＳＴＡ。
【請求項１１】
第２のステーション（ＳＴＡ）であって、プロセッサと、メモリと、トランシーバとを備え、
前記メモリは命令を格納しており、前記命令は、前記プロセッサにより実行されるときに、前記第２のＳＴＡに、請求項６から９のいずれか一項に記載の方法を実行させる、第２のＳＴＡ。
【手続補正２】
【補正対象書類名】明細書
【補正対象項目名】全文
【補正方法】変更
【補正の内容】
【発明の詳細な説明】
【技術分野】
【０００１】
本願は、通信分野、特に、通信方法、第１のステーション、第２のステーション及びアクセスポイントに関する。
【背景技術】
【０００２】
基本サービスセット（ＢＳＳ）カラーフィールドは、ＢＳＳカラーを搬送する。ＢＳＳカラーは、ＢＳＳの識別子であり、かつ、受信した高効率物理レイヤコンバージェンスプロシージャプロトコルデータユニット（ＨＥ  ＰＰＤＵ）のソース、つまり、ＨＥ  ＰＰＤＵが、ローカルＢＳＳからのものであるか、又は、オーバラップ基本サービスセット（ＯＢＳＳ）、つまり、隣接ＢＳＳからのものであるかを特定する場合にステーション（ＳＴＡ）を支援するために用いられる。
【０００３】
トンネルダイレクトリンクセットアップ（ＴＤＬＳ）は、デバイスツーデバイス（Ｄ２Ｄ）通信方式である。関連するアクセスポイント（ＡＰ）の支援を用いて、同一のＢＳＳ内の２つのステーションは、ＴＤＬＳダイレクトリンクをセットアップできる。ＴＤＬＳダイレクトリンクが正常にセットアップされた後に、ＴＤＬＳダイレクトリンクの接続が切られるまで、２つのステーションは、ＡＰを用いることなく互いに直接的にデータを送信できる。
【０００４】
ＴＤＬＳステーションと関連付けられたＡＰ、つまり、ＴＤＬＳダイレクトリンクをセットアップするステーションの能力の差異に応じて、２つの特定のシナリオが存在し得る。１つのシナリオにおいて、ＴＤＬＳステーションは、非高効率（ｎｏｎ-ＨＥ）ＡＰに関連付けられる。別のシナリオにおいて、ＴＤＬＳステーションは、ＨＥ  ＡＰに関連付けられる。非ＨＥ  ＡＰシナリオにおいて、非ＨＥ  ＡＰは、ＢＳＳカラーを設定できず、従って、ＨＥ  ＰＰＤＵを用いて、ＴＤＬＳ通信を実行するときに、ＴＤＬＳステーションは、ＨＥ  ＰＰＤＵに含まれるＢＳＳカラーフィールドを設定できない。ＨＥ  ＡＰシナリオにおいて、ＨＥ  ＡＰは、ローカルセルのＢＳＳカラーを設定でき、ＢＳＳカラーは、ＨＥ  ＳＴＡとＨＥ  ＡＰとの間のアップリンク又はダウンリンク通信に用いられる。しかしながら、従来技術では、ＨＥ  ＰＰＤＵを用いることによりＴＤＬＳデータ交換を実行するときに、ＴＤＬＳステーションにより用いられるＢＳＳカラーについての具体的な説明が行われていない。
【発明の概要】
【０００５】
本願の実施形態は、通信方法、第１のステーション、第２のステーション及びアクセスポイントを提供することで、非ＨＥ  ＡＰシナリオにおいて、非ＨＥ  ＡＰがＨＥ  ＳＴＡのＢＳＳカラーを設定できないという課題を解決する。さらに、ＨＥ  ＡＰシナリオにおいて、空間多重化を改善でき、システム効率及びスループットを向上させることができる。
【０００６】
第１の態様によれば、通信方法が提供され、通信方法は、第１のステーションＳＴＡにより、第１の基本サービスセットＢＳＳカラーを判定する段階と、第１のＳＴＡ及び第２のＳＴＡがデバイスツーデバイスＤ２Ｄ伝送を実行するときに、第１のＳＴＡにより、データフレームを生成する段階であって、データフレームは、第１のＢＳＳカラーを含む、段階と、第１のＳＴＡにより、データフレームを第２のＳＴＡに送信する段階とを含む。
【０００７】
本願の実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【０００８】
可能な実装において、データフレームは、高効率物理レイヤコンバージェンスプロシージャプロトコルデータユニットＨＥ  ＰＰＤＵであり、第１のＢＳＳカラーは、ＨＥ  ＰＰＤＵの基本サービスセットＢＳＳカラーフィールドにおいて搬送される。
【０００９】
可能な実装において、第１のステーションＳＴＡにより、第１の基本サービスセットＢＳＳカラーを判定する段階は、第１のＳＴＡにより、第１のＳＴＡ及び第２のＳＴＡが属するＢＳＳのＢＳＳパラメータ、及び、第１のＳＴＡのＳＴＡパラメータ又は第２のＳＴＡのＳＴＡパラメータに従って、第１のＢＳＳカラーを判定する段階であって、ＢＳＳパラメータは、ＢＳＳの基本サービスセット識別子ＢＳＳＩＤ又は第２のＢＳＳカラーを含み、ＳＴＡパラメータは、ＳＴＡのＭＡＣアドレス又はＳＴＡのアソシエーション識別子ＡＩＤを含み、第２のＢＳＳカラーは、ＳＴＡ及び第２のＳＴＡと関連付けられたアクセスポイントＡＰにより設定されたＢＳＳカラーである、段階を含む。
【００１０】
可能な実装において、第１のステーションＳＴＡにより、第１の基本サービスセットＢＳＳカラーを判定する段階は、第１のＳＴＡにより、ＢＳＳＩＤの最後の６ビットを第１のＢＳＳカラーと判定する段階を含む。
【００１１】
可能な実装において、第１のＳＴＡにより、データフレームを生成する段階の前に、方法は、さらに、第１のＳＴＡにより、第１のＳＴＡ及び第２のＳＴＡと関連付けられたアクセスポイントＡＰを用いることによって、トンネルダイレクトリンクセットアップＴＤＳＬセットアップ要求フレームを第２のＳＴＡに送信する段階であって、ＴＤＬＳセットアップ要求フレームは、第１のＢＳＳカラーを含む、段階を含み、その結果、第２のＳＴＡは、第１のＢＳＳカラーを第１のＳＴＡとのＤ２Ｄ伝送を実行するためのＢＳＳカラーと判定する。
【００１２】
可能な実装において、方法は、さらに、第１のＳＴＡにより、ＡＰを用いることによって、第２のＳＴＡにより送信されたＴＤＬＳセットアップ応答フレームを受信する段階であって、ＴＤＬＳセットアップ応答フレームは、第１のＢＳＳカラーを承認すべく用いられる肯定応答メッセージを含む、段階を含む。
【００１３】
可能な実装において、第１のステーションＳＴＡにより、第１の基本サービスセットＢＳＳカラーを判定する段階は、第１のＳＴＡにより、予め設定された固定値を第１のＢＳＳカラーと判定する段階を含む。
【００１４】
可能な実装において、予め設定された固定値は０、１又は６３である。
【００１５】
第２の態様によれば、通信方法が提供され、通信方法は、第２のステーションＳＴＡにより、第１のＳＴＡにより送信されたトンネルダイレクトリンクセットアップＴＤＳＬセットアップ要求フレームを受信する段階であって、ＴＤＬＳセットアップ要求フレームは、第１の基本サービスセットＢＳＳカラーを含む、段階と、第２のＳＴＡにより、第１のＢＳＳカラーを、第１のＳＴＡとのＤ２Ｄ伝送を実行するためのＢＳＳカラーと判定する段階とを含む。
【００１６】
可能な実装において、方法は、さらに、第２のＳＴＡにより、第１のＳＴＡ及び第２のＳＴＡと関連付けられたアクセスポイントＡＰを用いることによって、ＴＤＬＳセットアップ応答フレームを第１のＳＴＡに送信する段階であって、ＴＤＬＳセットアップ応答フレームは、第１のＢＳＳカラーを承認すべく用いられる肯定応答メッセージを含む、段階を含む。
【００１７】
第３の態様によれば、通信方法が提供され、通信方法は、アクセスポイントＡＰにより、第１のステーションＳＴＡにより送信されたトンネルダイレクトリンクセットアップＴＤＳＬセットアップ要求フレームを受信する段階であって、ＴＤＬＳセットアップ要求フレームは、第１の基本サービスセットＢＳＳカラーを含む、段階と、ＡＰにより、ＴＤＬＳセットアップ要求フレームを第２のＳＴＡに送信する段階を含み、その結果、第２のＳＴＡは、第１のＢＳＳカラーを、第１のＳＴＡとのＤ２Ｄ伝送を実行するためのＢＳＳカラーと判定する。
【００１８】
可能な実装において、方法は、さらに、ＡＰにより、第２のＳＴＡにより送信されたＴＤＬＳセットアップ応答フレームを受信する段階であって、ＴＤＬＳセットアップ応答フレームは、第１のＢＳＳカラーを承認すべく用いられる肯定応答メッセージを含む、段階と、ＡＰにより、ＴＤＬＳセットアップ応答フレームを第１のＳＴＡに送信する段階とを含む。
【００１９】
第４の態様によれば、第１のＳＴＡが提供され、第１のＳＴＡは、第１の態様又は第１の態様の任意の可能な実装における方法を実行するように構成される。具体的には、第１のＳＴＡは、第１の態様又は第１の態様の任意の可能な実装における方法を実行するように構成されるユニットを含む。
【００２０】
第５の態様によれば、第２のＳＴＡが提供され、第２のＳＴＡは、第２の態様又は第２の態様の任意の可能な実装における方法を実行するように構成される。具体的には、第２のＳＴＡは、第２の態様又は第２の態様の任意の可能な実装における方法を実行するように構成されるユニットを含む。
【００２１】
第６の態様によれば、アクセスポイントＡＰが提供され、アクセスポイントＡＰは、第３の態様又は第３の態様の任意の可能な実装における方法を実行するように構成される。具体的には、アクセスポイントＡＰは、第３の態様又は第３の態様の任意の可能な実装における方法を実行するように構成されるユニットを含む。
【００２２】
第７の態様によれば、第１のＳＴＡが提供され、第１のＳＴＡは、受信機、送信機、プロセッサ、メモリ及びバスシステムを含む。受信機、送信機、プロセッサ及びメモリは、バスシステムを用いることにより接続される。メモリは、命令を格納するように構成される。プロセッサは、メモリにより格納された命令を実行するように構成され、これにより、受信機を制御して信号を受信し、送信機を制御して信号を送信する。プロセッサがメモリにより格納された命令を実行するときに、プロセッサは、第１の態様又は第１の態様の任意の可能な実装における方法を実行する。
【００２３】
第８の態様によれば、本願は、第２のＳＴＡを提供し、第２のＳＴＡは、受信機、送信機、プロセッサ、メモリ及びバスシステムを含む。受信機、送信機、プロセッサ及びメモリは、バスシステムを用いることにより接続される。メモリは、命令を格納するように構成される。プロセッサは、メモリにより格納された命令を実行するように構成され、これにより、受信機を制御して信号を受信し、送信機を制御して信号を送信する。プロセッサがメモリにより格納された命令を実行するときに、プロセッサは、第２の態様又は第２の態様の任意の可能な実装における方法を実行する。
【００２４】
第９の態様によれば、本願は、アクセスポイントＡＰを提供し、アクセスポイントＡＰは、受信機、送信機、プロセッサ、メモリ及びバスシステムを含む。受信機、送信機、プロセッサ及びメモリは、バスシステムを用いることにより接続される。メモリは、命令を格納するように構成される。プロセッサは、メモリにより格納された命令を実行するように構成され、これにより、受信機を制御して信号を受信し、送信機を制御して信号を送信する。プロセッサがメモリにより格納された命令を実行するときに、プロセッサは、第３の態様又は第３の態様の任意の可能な実装における方法を実行する。
【００２５】
第１０の態様によれば、本願は、コンピュータプログラムを格納するように構成されるコンピュータ可読媒体を提供し、コンピュータプログラムは、第１の態様又は第１の態様の任意の可能な実装における方法を実行するために用いられる命令を含む。
【００２６】
第１１の態様によれば、本願は、コンピュータプログラムを格納するように構成されるコンピュータ可読媒体を提供し、コンピュータプログラムは、第２の態様又は第２の態様の任意の可能な実装における方法を実行するために用いられる命令を含む。
【００２７】
第１２の態様によれば、本願は、コンピュータプログラムを格納するように構成されるコンピュータ可読媒体を提供し、コンピュータプログラムは、第３の態様又は第３の態様の任意の可能な実装における方法を実行するために用いられる命令を含む。
【図面の簡単な説明】
【００２８】
【図１】本願の実施形態に係る適用シナリオの概略図である。
【００２９】
【図２】本願の実施形態に係る通信方法の概略フローチャートである。
【００３０】
【図３】本願の実施形態に係る第１のＳＴＡの概略ブロック図である。
【００３１】
【図４】本願の実施形態に係る第２のＳＴＡの概略ブロック図である。
【００３２】
【図５】本願の実施形態に係るアクセスポイントＡＰの概略ブロック図である。
【００３３】
【図６】本願の実施形態に係る第１のＳＴＡの概略構造図である。
【００３４】
【図７】本願の実施形態に係る第２のＳＴＡの概略構造図である。
【００３５】
【図８】本願の実施形態に係るアクセスポイントＡＰの概略構造図である。
【発明を実施するための形態】
【００３６】
以下では、添付図面を参照して本願における技術的解決手法を説明する。
【００３７】
本願の実施形態は、無線ローカルエリアネットワーク（ｗｉｒｅｌｅｓｓ  ｌｏｃａｌ  ａｒｅａ  ｎｅｔｗｏｒｋ、ＷＬＡＮ）であってよい。現在、ＷＬＡＮで用いられる基準はＩＥＥＥ８０２．１１シリーズである。ＷＬＡＮは、複数のＢＳＳを含んでよく、ＢＳＳ内のネットワークノードＳＴＡである。ＳＴＡは、アクセスポイントステーションＡＰ及び非アクセスポイントステーション（ｎｏｎ‐ＡＰ  ＳＴＡ）を含む。各ＢＳＳは、１つのＡＰ及び当該ＡＰに関連付けられた複数の非ＡＰ  ＳＴＡを含んでよい。
【００３８】
ＡＰはまた、無線アクセスポイント、ホットスポット等と称され得る。ＡＰは、どのモバイルユーザが有線ネットワークに入るかを用いることによるアクセスポイントであり、ＡＰは、主に、数十から数百メートルの典型的なカバレッジ半径を有する住居又はビル及び公園内に配備されるが、当然ながら、屋外にも配備される。ＡＰは、有線ネットワーク及び無線ネットワークを接続するブリッジに相当する。ＡＰの主な機能は、無線ネットワーククライアントを接続し、次に、無線ネットワーク及びイーサネット（登録商標）ネットワークを接続することである。具体的には、ＡＰは、ワイヤレス・フィディリティ（ＷｉＦｉ（登録商標））チップを有する端末デバイス又はネットワークデバイスであってよい。オプションとして、ＡＰは、８０２．１１ａｘ規格をサポートするデバイスであってよい。さらに、オプションとして、ＡＰは、８０２．１１ａｃ、８０２．１１ｎ、８０２．１１ｇ、８０２．１１ｂ及び８０２．１１ａのような複数のＷＬＡＮ規格をサポートするデバイスであってよい。
【００３９】
非ＡＰ  ＳＴＡは、例えば、ＷｉＦｉ（登録商標）通信機能をサポートする携帯電話、ＷｉＦｉ（登録商標）通信機能をサポートするタブレットコンピュータ、ＷｉＦｉ（登録商標）通信機能をサポートするセットトップボックス、ＷｉＦｉ（登録商標）通信機能をサポートするスマートＴＶ、ＷｉＦｉ（登録商標）通信機能をサポートするインテリジェントウェアラブルデバイス、ＷｉＦｉ（登録商標）通信機能をサポートする車両通信デバイス無線通信チップ、ＷｉＦｉ（登録商標）通信機能をサポートするコンピュータ等の無線センサ又は無線通信端末であってよい。オプションとして、ステーションは、８０２．１１ａｘ規格をサポートしてよい。さらに、オプションとして、ステーションは、８０２．１１ａｃ、８０２．１１ｎ、８０２．１１ｇ、８０２．１１ｂ及び８０２．１１ａのような複数のＷＬＡＮ規格をサポートする。
【００４０】
図１は、本願の実施形態に係る適用シナリオの概略図である。図１において、ＳＴＡ１０１、ＳＴＡ１０２、ＳＴＡ１０３、ＳＴＡ１０４及びＳＴＡ１０５は、全て、ＡＰ１１０に関連付けられる。ＳＴＡは、ＨＥ  ＳＴＡであってよく、ＡＰは、ＨＥ  ＡＰ又は非ＨＥ  ＡＰであってよい。ＡＰ１１０によりセットアップされるＢＳＳにおいて、通常のリンク（ＡＰツーＳＴＡ、又は、ＳＴＡツーＡＰ）及びダイレクトリンク（ＳＴＡツーＳＴＡ、つまり、Ｄ２Ｄ）が共存する。ＳＴＡ１０１とＳＴＡ１０２との間の通信は、Ｄ２Ｄ（例えば、ＴＤＬＳ）通信に属し、ＳＴＡ１０４とＳＴＡ１０５との間の通信は、同様に、Ｄ２Ｄ通信に属し、ＳＴＡ１０３とＡＰ１１０との間の通信は、通常のリンク通信に属する。
【００４１】
ＡＰ１１０が非ＨＥ  ＡＰシナリオにあるとき、非ＨＥ  ＡＰは、ＢＳＳカラーを設定できず、従って、ＨＥ  ＰＰＤＵを用いてＴＤＬＳ通信を実行するときに、ＴＤＬＳステーションは、ＨＥ  ＰＰＤＵに含まれるＢＳＳカラーフィールドを設定できない。
【００４２】
ＡＰ１１０がＨＥ  ＡＰシナリオにあるとき、ＨＥ  ＡＰは、ローカルＢＳＳのＢＳＳカラーを設定でき、ＢＳＳカラーは、ＨＥ  ＳＴＡとＨＥ  ＡＰとの間のアップリンク又はダウンリンク通信に用いられる。しかしながら、従来技術では、ＴＤＬＳステーションデータ交換におけるＨＥ  ＰＰＤＵのＢＳＳカラーについて具体的な説明が行われていない。
【００４３】
本願の実施形態において提供される通信方法では、２つのステーションがＤ２Ｄ方式における伝送を実行するときに、専用のＢＳＳカラーが用いられてよい。本願の本実施形態において、専用のＢＳＳカラーは、「第１のＢＳＳカラー」と称され得る。このように、一方では、非ＨＥ  ＡＰシナリオにおいて非ＨＥ  ＡＰがＨＥ  ＳＴＡのＢＳＳカラーを設定できないという課題が解決される。他方では、Ｄ２Ｄ伝送を実行するためにＢＳＳカラーを設定することについての課題がＨＥ  ＡＰシナリオにおいて解決される。以下では、本願の実施形態に係る通信方法を具体的に説明する。
【００４４】
本願の実施形態において、第１のＳＴＡ及び第２のＳＴＡは、Ｄ２Ｄ通信の任意の２つのステーションであり、かつ、２つの同等のＳＴＡであることを理解すべきである。つまり、第２のＳＴＡはまた、送信部としての機能を果たし、第１のＳＴＡはまた、受信機としての機能を果たす。これが、本願の本実施形態において限定されることはない。例えば、第１のＳＴＡは、図１に示されるＳＴＡ１０１であってよく、第２のＳＴＡは、ＳＴＡ１０２であってよい。第１のＳＴＡはまた、ＳＴＡ１０４であってよく、第２のＳＴＡは、ＳＴＡ１０５であってよい。
【００４５】
図２は、本願の実施形態に係る通信方法の概略フローチャートである。
【００４６】
Ｓ２１０．第１のステーションＳＴＡは、第１の基本サービスセットＢＳＳカラーを判定する。
【００４７】
Ｓ２２０．第１のＳＴＡ及び第２のＳＴＡがデバイスツーデバイスＤ２Ｄ伝送を実行するときに、第１のＳＴＡはデータフレームを生成し、データフレームは第１のＢＳＳカラーを含む。
【００４８】
Ｓ２３０．第１のＳＴＡは、データフレームを第２のＳＴＡに送信する。
【００４９】
従来技術では、第１のＳＴＡ及び第２のＳＴＡがＨＥ  ＡＰと関連付けられている場合、ＨＥ  ＡＰとのアップリンク又はダウンリンク通信を実行するときに、第１のＳＴＡ又は第２のＳＴＡは、第２のＢＳＳカラーと称されるＨＥ  ＡＰにより設定されたＢＳＳカラーを用いてよい。しかしながら、Ｄ２Ｄ伝送が実行されるときに用いられるＢＳＳカラーについて具体的な説明が行われていない。本願の本実施形態では、第１のＳＴＡ及び第２のＳＴＡがＤ２Ｄ伝送を実行するときに、ＡＰから独立して設定され、かつ、第１のＳＴＡにより自律的に判定され得る第１のＢＳＳカラー、又は、第２のＳＴＡが用いられる。第１のＳＴＡ及び第２のＳＴＡが位置するＢＳＳ内のＳＴＡが非ＨＥ  ＡＰと関連付けられている場合、第１のＳＴＡ及び第２のＳＴＡは、Ｄ２Ｄ伝送を実行するときのＢＳＳカラーを有していない。しかしながら、本願の本実施形態における第１のＳＴＡ及び第２のＳＴＡは、同様のＢＳＳカラー、つまり、第１のＢＳＳカラーを設定してよい。
【００５０】
具体的には、Ｄ２Ｄ伝送の２つのステーション、つまり、第１のＳＴＡ及び第２のＳＴＡは、Ｄ２Ｄ伝送を実行する前に、まず、第１のＢＳＳカラーを判定してよい。概して、第１のＳＴＡ及び第２のＳＴＡにより判定される２つの第１のＢＳＳカラーは同一である。Ｄ２Ｄデータ交換を実行するときに、第１のＳＴＡは、前に判定された第１のＢＳＳカラーに従って、データフレームを生成する、つまり、データフレームは第１のＢＳＳカラーを含む。次に、第１のＳＴＡは、データフレームを第２のＳＴＡに送信する。データフレームを受信した後に、第２のＳＴＡは、データフレーム内の第１のＢＳＳカラーを第２のＳＴＡにより格納されたＢＳＳカラーと比較する。第１のＢＳＳカラーは、第２のＳＴＡに格納されているので、データフレームは、Ｄ２Ｄ伝送ステーションからであることが判定され得る。当然ながら、データフレームは、確実にローカルＢＳＳつまり、第１のＳＴＡ及び第２のＳＴＡが位置するＢＳＳからのものである。
【００５１】
第１のＢＳＳカラー及び第２のＢＳＳカラーが同一である場合、自律的な設定が必要ではないので、ＨＥ  ＡＰシナリオにおいて、ＡＰから独立してＳＴＡにより自律的に設定される第１のＢＳＳカラーは、ＡＰにより割り当てられたＢＳＳカラー、つまり、第２のＢＳＳカラーとは確実に異なることが理解され得る。
【００５２】
本願の本実施形態において、第１のＳＴＡ及び第２のＳＴＡが属するＢＳＳにおけるＤ２Ｄ伝送をセットアップしないステーションはまた、データフレームを受信する。この場合、図１に示されるＳＴＡ１０３が説明のための例として用いられ、２つのケースがある。
【００５３】
ケース１
【００５４】
ＢＳＳ内のステーションは、非ＨＥ  ＡＰと関連付けられる。この場合、非ＨＥ  ＡＰは、ＢＳＳカラーを設定する能力を有しておらず、従って、ＳＴＡ１０３は、ＢＳＳカラーを有していない。データフレームを受信したときに、ＳＴＡ１０３は、データフレームが第１のＢＳＳカラーを搬送することを見つけ、従って、データフレームが隣接ＢＳＳからのものであることが考えられる。
【００５５】
ケース２
【００５６】
ＢＳＳ内のステーションは、ＨＥ  ＡＰと関連付けられる。この場合、ＳＴＡ１０３は、ＨＥ  ＡＰ、つまり、第２のＢＳＳカラーにより設定されたＢＳＳカラーを格納する。データフレームを受信したときに、ＳＴＡ１０３は、データフレーム内の第１のＢＳＳカラーを読み出す。第１のＢＳＳカラーは、ＳＴＡ１０３により格納されたＢＳＳカラーとは異なり、従って、ＳＴＡ１０３は、データフレームが隣接ＢＳＳからのものであると考える。
【００５７】
前述の２つのケースにおいて、ＳＴＡ１０３がクリアチャネルアセスメント（ＣＣＡ）を実行するとき、ＣＣＡ閾値はオーバラップ基本サービスセットパケットの検出閾値であり、オーバラップ基本サービスセットパケットの検出閾値は、最小受信閾値（例えば、受信機の-６２ｄＢｍ）より大きい。ＳＴＡ１０３は、データフレームの信号エネルギーとオーバラップ基本サービスセットパケットの検出閾値との間の検出値の関係に従って、チャネルがビジー又はアイドルであるかを判定する。具体的には、データフレームの信号エネルギーがオーバラップ基本サービスセットパケットの検出閾値より大きいことを検出したとき、ＳＴＡ１０３は、チャネルがビジーであると判定し、パケットを破棄してよい。データフレームの信号エネルギーがオーバラップ基本サービスセットパケットの検出閾値より小さいことを検出したとき、ＳＴＡ１０３は、チャネルがアイドルであると判定し、次に、空間多重化により要求される別の条件を判定することを継続する。別の条件が同様に満たされる場合、ＳＴＡ１０３は空間多重化を実行してよい。空間多重化によって、第１のＳＴＡ及び第２のＳＴＡが属するＢＳＳでは、２つのＳＴＡ、つまり、ＳＴＡ１０３及び伝送を実行している隣接セルＳＴＡは、同一のチャネルを用いることによる送信を同時に実行することが可能であり、従って、システム効率及びスループットを向上させることができる。
【００５８】
従来技術では、ＨＥ  ＡＰシナリオにおいて、Ｄ２Ｄ伝送を実行するときに、第１のＳＴＡ及び第２のＳＴＡがＡＰにより設定されたＢＳＳカラーを用い得ることが考えられる。このように、ＳＴＡ１０３がデータフレームを受信したときに、データフレーム内のＢＳＳ識別子はＳＴＡ１０３により格納されたＢＳＳカラーと同一であり、従って、データフレームは、ローカルＢＳＳからのものであると考えられる。この場合、ＳＴＡ１０３は、空間多重化を実行しない。ＳＴＡ１０３は、従来型のＣＣＡ検出を実行して、オーバラップ基本サービスセットパケットの検出閾値（例えば、-８２ｄＢｍ）より小さいＣＣＡ閾値を用いることにより、チャネルがビジー又はアイドルであるかを判定するだけである。チャネルがアイドルである場合、ＳＴＡ１０３は、通常のＷｉＦｉ（登録商標）送信を実行できる。隣接ＢＳＳからのデータフレームについて、ＳＴＡ１０３は、基本サービスセットパケット検出閾値を用いいることにより、ＣＣＡ検出を実行する。
【００５９】
例えば、従来技術では、第１のＳＴＡにより送信されたデータフレーム内の第１のＢＳＳカラー及びＳＴＡ１０３により格納されたＢＳＳカラーの両方が、ＡＰにより設定され、従って、データフレーム内の第１のＢＳＳカラーは、ＳＴＡ１０３により格納されたＢＳＳカラーと同一であり、ＳＴＡ１０３は、第１のＳＴＡにより送信されたデータフレームがローカルＢＳＳからのものであると判定する。ＳＴＡ１０３は、ＣＣＡ閾値の値-８２ｄＢｍを用いて、チャネルがビジー又はアイドルかを判定してよい。データフレームの信号エネルギーが-７２ｄＢｍであることが検出された場合、-７２ｄＢｍが-８２ｄＢｍより大きいので、ＳＴＡ１０３は、チャネルがビジーであると考える。本願の本実施形態において、データフレーム内の第１のＢＳＳカラーは、ＳＴＡ１０３により格納されたＢＳＳカラーとは異なり、従って、ＳＴＡ１０３は、前述のデータフレームが隣接セルからのものであると考え、ＣＣＡ閾値の値-６２ｄＢｍを用いて、チャネルがビジー又はアイドルであるかを判定してよい。データフレームの信号エネルギーが-７２ｄＢｍであることが検出されたとき、-７２ｄＢｍが-６２ｄＢｍより小さいので、ＳＴＡ１０３は、チャネルがアイドルであると考える。この場合、ＳＴＡ１０３は、空間多重化を実行する機会を有する。
【００６０】
従って、本願の本実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【００６１】
オプションとして、データフレームは、高効率物理レイヤコンバージェンスプロシージャプロトコルデータユニットＨＥ  ＰＰＤＵであり、第１のＢＳＳカラーは、ＨＥ  ＰＰＤＵの基本サービスセットＢＳＳカラーフィールドにおいて搬送される。
【００６２】
本願の本実施形態におけるデータフレームは、既存のＨＥ  ＰＰＤＵフレームフォーマットを用いてよい。ＨＥ  ＰＰＤＵ内の高効率信号フィールド（ｈｉｇｈ  ｅｆｆｉｃｉｅｎｃｙ  ｓｉｇｎａｌ  ｆｉｅｌｄ、ＨＥ-ＳＩＧ）は、ＢＳＳカラーフィールドを含む（現在の基準では６ビットが定義される、つまり、利用可能なＢＳＳカラー値は、０から６３までの整数値である。）。非ＨＥ  ＡＰシナリオにおいて、非ＨＥ  ＡＰは、ＢＳＳカラーを設定する能力を有しておらず、従っては、ＢＳＳカラーフィールドは、通常、空である。ＨＥ  ＡＰシナリオにおいて、ＢＳＳカラーフィールドに入る値は、データフレームのソースを示すために用いられる。本願の本実施形態では、ＨＥ  ＰＰＤＵフレームフォーマットが用いられるとき、第１のＢＳＳカラーは、ＢＳＳカラーフィールドにおいて搬送されてよく、第１のＢＳＳカラーは、第１のＳＴＡと第２のＳＴＡとの間のＤ２Ｄ伝送を示すために用いられる。
【００６３】
より具体的には、第１のＳＴＡ及び第２のＳＴＡがＤ２Ｄ伝送を実行するときに、非ＨＥ  ＡＰシナリオにおける第１のＳＴＡは、第１のＢＳＳカラーをデータフレームのＢＳＳカラーフィールドに直接追加してよい。ＨＥ  ＡＰシナリオにおいて、第１のＳＴＡは、第２のＢＳＳカラーをもはや使用しなくてよく、同等に、第１のＢＳＳカラーは、第２のＢＳＳカラーを置き換えるために用いられる。
【００６４】
さらに、本願の本実施形態において、第１のＢＳＳカラーを搬送すべく、新たなフィールドが従来技術におけるデータフレームフォーマットにさらに追加されてよい。
【００６５】
本願の本実施形態におけるＤ２Ｄ伝送がＴＤＬＳプロトコルを用いてよいことを理解するべきである。
【００６６】
本願の本実施形態において、Ｄ２Ｄ伝送のＳＴＡの各ペアの第１のＢＳＳカラーが、同一であってよく、又は、異なっていてよいことに留意されたい。
【００６７】
Ｄ２Ｄ伝送のＳＴＡの各ペアの第１のＢＳＳカラーが同一である場合、Ｄ２Ｄ接続をセットアップするＳＴＡが、Ｄ２Ｄステーションの別のペアのデータフレームを受信したとき、Ｄ２Ｄステーションの別のペアの第１のＢＳＳカラーは、ＳＴＡの第１のＢＳＳカラーと同一なので、データフレームは、ローカルＢＳＳ、つまり、第１のＳＴＡ及び第２のＳＴＡが属するＢＳＳからのものであると考えられる。従って、空間多重化は実行されない。
【００６８】
Ｄ２Ｄ伝送のＳＴＡの各ペアの第１のＢＳＳカラーが異なる場合、Ｄ２Ｄ伝送のＳＴＡのペア（例えば、ＳＴＡ１０４）が、Ｄ２Ｄ伝送のＳＴＡの別のペア（例えば、ＳＴＡ１０１）により送信されたデータフレームを受信したとき、データフレームは、隣接ＢＳＳからのものであると判定される。従って、チャネルがアイドルであることが検出された場合、ＳＴＡ１０４は、空間多重化を実行する機会を有し、その結果、システム効率をさらに向上させることができる。
【００６９】
オプションとして、第１のＳＴＡがデータフレームを生成する前に、方法は、さらに、Ｓ２４０を含んでよい。第１のＳＴＡは、第１のＳＴＡ及び第２のＳＴＡと関連付けられたアクセスポイントＡＰを用いることにより、トンネルダイレクトリンクセットアップＴＤＳＬセットアップ要求フレームを第２のＳＴＡに送信し、ＴＤＬＳセットアップ要求フレームは、第１のＢＳＳカラーを含み、その結果、第１のＢＳＳカラーを、第２のＳＴＡは、第１のＳＴＡとのＤ２Ｄ伝送を実行するためのＢＳＳカラーと判定する。
【００７０】
具体的には、第１のＳＴＡと第２のＳＴＡとの間のＤ２Ｄ接続をセットアップする手順において、第１のＢＳＳカラーが設定されてよい。第１のＳＴＡは、第１のＢＳＳカラーとしての値を選択し、情報フィールドをＴＤＬＳセットアップ要求フレームに追加してよく、又は、アイドルフィールドを用いることにより、又は、既存のフィールドを再利用することにより、選択された第１のＢＳＳカラーを搬送し、次に、ＴＤＬＳセットアップ要求フレームをＡＰに送信してよい。ＴＤＬＳセットアップ要求フレームを受信した後に、ＡＰは、ＴＤＬＳセットアップ要求フレームを第２のＳＴＡに転送する。このように、ＴＤＬＳセットアップ要求フレームを受信したときに、第２のＳＴＡは、これに対応して、第１のＢＳＳカラーを格納し、第１のＳＴＡとのデータ交換を実行するための第１のＢＳＳカラーとして、第１のＳＴＡにより送信された第１のＢＳＳカラーを用いてよい。
【００７１】
オプションとして、方法は、さらに、２５０を含む。第１のＳＴＡは、ＡＰを用いることにより、第２のＳＴＡにより送信されたＴＤＬＳセットアップ応答フレームを受信し、ＴＤＬＳセットアップ応答フレームは、第１のＢＳＳカラーを承認すべく用いられる肯定応答メッセージを含む。
【００７２】
第２のＳＴＡがＴＤＬＳセットアップ要求フレームを受信した後に、第２のＳＴＡは、第１のＳＴＡに送信されるＴＤＬＳセットアップ応答フレームに情報フィールドを追加してよい、又は、アイドルフィールドを用いることにより、又は、既存のフィールドを再利用することにより、肯定応答メッセージを搬送してよく、これにより、第１のＢＳＳカラーを判定する。ＡＰにより転送されたＴＤＬＳセットアップ応答フレームを受信した後に、肯定応答メッセージを読み出すことにより、第１のＳＴＡは、第１のＢＳＳカラーを用いてＤ２Ｄ伝送を実行することを判定してよい。
【００７３】
本願の本実施形態における通信方法によれば、Ｄ２Ｄステーションが第１のＢＳＳカラーを設定することを交渉するときに、Ｄ２Ｄステーションの各ペアは、異なる第１のＢＳＳカラーを用いてよい、つまり、Ｄ２Ｄステーションの各ペアは、別々に、１つの仮想セルになり得る。このように、Ｄ２Ｄステーションのペアの通信中に、Ｄ２Ｄステーションのペア以外のすべての他のＳＴＡは、空間多重化を実行する機会があり得、その結果、システム効率を向上させることができる。
【００７４】
オプションとして、第１のＢＳＳカラーを判定するときに、第１のＳＴＡは、予め設定された固定値を第１のＢＳＳカラーと判定してよい。この場合、ローカルＢＳＳにおいてＤ２Ｄ接続をセットアップするすべてのＳＴＡの第１のＢＳＳカラーは同一である。
【００７５】
例えば、予め設定された固定値は０であってよく、又は、予め設定された固定値は１であってよく、又は、６３であってよく、本願の本実施形態において限定はされることはない。
【００７６】
Ｄ２Ｄ伝送を実行するときに、第１のＳＴＡ及び第２のＳＴＡは、予め設定された固定値を第１のＢＳＳカラーとして用いてデータを送信及び受信してよい。具体的には、第１のＳＴＡ及び第２のＳＴＡが、関連するＡＰを用いることによりＤ２Ｄ接続をセットアップした後に、第１のＳＴＡは、予め設定された固定値をデータフレーム（例えば、ＨＥ  ＰＰＤＵのＢＳＳカラーフィールド）に複製し、次に、第２のＳＴＡとのデータ交換を実行すべく、データフレームを第２のＳＴＡに送信する。第１のＳＴＡにより送信されたデータフレームを受信したときに、ＳＴＡ（ローカルＢＳＳ又は隣接ＢＳＳのＳＴＡ）は、予め設定された固定値を用いて、データフレームがローカルＢＳＳ又は隣接ＢＳＳからのものであるかを判定してよい。
【００７７】
ＨＥ  ＡＰシナリオにおいて、ローカルＢＳＳにおけるＤ２Ｄ接続をセットアップしないＳＴＡについては、同様に、ＳＴＡ１０３が説明のための例として用いられ、データフレームを受信したときい、ＳＴＡ１０３は、ＳＴＡ１０３により格納されたＢＳＳカラーフィールド内のＢＳＳカラーが、予め設定された固定値とは異なると判定してよい。この場合、ＳＴＡ１０３は、データフレームが隣接セルからのものであると考える。ＣＣＡが実行され、チャネルがアイドルであると判定された後に、ＳＴＡ１０３は、空間多重化により要求される別の条件を判定することを継続してよい。別の条件が同様に満たされる場合、ＳＴＡ１０３は、空間多重化を実行してよい。さらに、このシナリオにおいて、ＡＰと通信するときに、ＳＴＡは、ＡＰにより設定されたＢＳＳカラーを依然として用いる。少なくとも１つの第１のＢＳＳカラー及び１つのＢＳＳカラーが第１のＳＴＡ及び第２のＳＴＡに格納され、それぞれ、Ｄ２Ｄ伝送及びＡＰの通信に用いられることに留意されたい。Ｄ２Ｄ接続をセットアップするステーションが伝送フレームを受信したときに、伝送フレームに含まれる第１のＢＳＳカラー又はＢＳＳカラーが、ステーションにより格納された第１のＢＳＳカラー又は第２のＢＳＳカラーに等しい場合、Ｄ２Ｄステーションは、ローカルＢＳＳのフレームが受信されたと考える。この場合、Ｄ２Ｄ接続をセットアップするステーションは、空間多重化を実行しない。
【００７８】
第２のＳＴＡは、複数のＢＳＳカラーを格納してよく、例えば、ＡＰと通信するための第２のＢＳＳカラー及び第１のＳＴＡと通信するための第１のＢＳＳカラーを同時に格納してよいことが理解されるべきである。あるいは、第２のＳＴＡが第３のＳＴＡ（ローカルＢＳＳ内の１つのＳＴＡ）とのＤ２Ｄ接続をさらにセットアップする場合、第２のＳＴＡは、第３のＳＴＡとのＤ２Ｄ伝送を実行するためのＢＳＳカラーをさらに格納してよい。
【００７９】
オプションとして、第１のＢＳＳカラーを判定するときに、第１のＳＴＡは、ＢＳＳパラメータに従って第１のＢＳＳカラーを判定してよい。この場合、ローカルＢＳＳにおいてＤ２Ｄ接続をセットアップするすべてのＳＴＡの第１のＢＳＳカラーは同一である。
【００８０】
例えば、第１のＢＳＳカラーは、ローカルＢＳＳの基本サービスセット識別子（ｂａｓｉｃ  ｓｅｒｖｉｃｅ  ｓｅｔ  ｉｄｅｎｔｉｆｉｅｒ、ＢＳＳＩＤ）に従って判定されてよい。具体的には、ＢＳＳＩＤの最後の数ビットが第１のＢＳＳカラーとして用いられてよい。別の例について、第１のＢＳＳカラーは、第２のＢＳＳカラーに従って判定されてよい。より具体的には、第２のＢＳＳカラーの値＋１が第１のＢＳＳカラーとして用いられてよい。
【００８１】
本願の本実施形態では、第１のＳＴＡ及び第２のＳＴＡがＨＥ  ＡＰと関連付けられるシナリオにおいて、ＡＰは、第１のＢＳＳカラーを取得し、第１のＢＳＳカラーを格納してよい。ＡＰは、第１のＢＳＳカラーを含む伝送フレーム（例えば、第１のＳＴＡにより送信されたデータフレーム）を受信し、伝送フレーム内の第１のＢＳＳカラーを読み出し、ＡＰにより格納された第１のＢＳＳカラーと、伝送フレーム内の第１のＢＳＳカラーとを比較することにより、伝送フレームがローカルＢＳＳからのものであると判定してよい。従って、ＡＰは、空間多重化を実行しない。先述の方法によって、ＡＰが空間多重化を実行することが可能である場合に、ＡＰが、Ｄ２Ｄ伝送を実行しているステーションにダウンリンクデータを送信することで、Ｄ２Ｄ伝送のステーションの受信衝突を引き起こすという問題が回避され得る。
【００８２】
従って、本願の本実施形態では、Ｄ２ＤステーションがＤ２Ｄ伝送用に同一の第１のＢＳＳカラーを用いるとき、Ｄ２Ｄステーションは、仮想セルを構成してよい。このように、Ｄ２Ｄステーションが通信するときに、Ｄ２Ｄ接続をセットアップしない別のステーションは、空間多重化を実行する機会を有し得る。
【００８３】
オプションとして、第１のＳＴＡが第１のＢＳＳカラーを判定するときに、第１のＳＴＡは、第１のＳＴＡ又は第２のＳＴＡのパラメータに従って、第１のＢＳＳカラーを判定してよい。
【００８４】
例えば、第１のＢＳＳカラーは、第１のＳＴＡ又は第２のＳＴＡのメディアアクセス制御（ＭＡＣ）アドレスに従って判定されてよい。具体的には、ＭＡＣアドレスの数ビットが第１のＢＳＳカラーとして用いられてよい。さらに、第１のＢＳＳカラーは、第１のＳＴＡ又は第２のＳＴＡのアソシエーション識別子（ａｓｓｏｃｉａｔｉｏｎ  ｉｄｅｎｔｉｆｉｅｒ、ＡＩＤ）に従って判定されてもよい。具体的には、ＡＩＤの最後の数ビットが第１のＢＳＳカラーとして用いられてよい。これが、本願の本実施形態において限定されることはない。
【００８５】
本願の本実施形態では、第１のＳＴＡ及び第２のＳＴＡがＨＥ  ＡＰと関連付けられるシナリオにおいて、ＡＰは、第１のＢＳＳカラーを取得し、第１のＢＳＳカラーを格納してよい。ＡＰは、第１のＢＳＳカラーを含む伝送フレーム（例えば、第１のＳＴＡにより送信されたデータフレーム）を受信し、伝送フレーム内の第１のＢＳＳカラーを読み出し、ＡＰにより格納された第１のＢＳＳカラーと、伝送フレーム内の第１のＢＳＳカラーとを比較することにより、伝送フレームがローカルＢＳＳからのものであると判定してよい。従って、ＡＰは、空間多重化を実行しない。先述の方法によって、ＡＰが空間多重化を実行することが可能である場合に、ＡＰがＤ２Ｄ伝送を実行しているステーションにダウンリンクデータを送信することで、Ｄ２Ｄ伝送のステーションの受信衝突を引き起こすという問題が回避され得る。
【００８６】
本願の本実施形態における通信方法によれば、Ｄ２Ｄステーションが第１のＢＳＳカラーを設定するときに、Ｄ２Ｄステーションの各ペアは、異なる第１のＢＳＳカラーを用いて設定してよい、つまり、Ｄ２Ｄステーションの各ペアは、別々に、１つの仮想セルになり得る。このように、Ｄ２Ｄステーションのペアの通信中に、Ｄ２Ｄステーションのペア以外の全ての他のステーションは、空間多重化を実行する機会を有し得る。図１が例として用いられる。ＳＴＡ１０１及びＳＴＡ１０２がＤ２Ｄ伝送を実行するとき、この場合、ＳＴＡ１０３が空間多重化を実行する機会を有するだけでなく、ＳＴＡ１０４及びＳＴＡ１０５も、空間多重化を実行する機会を有する。
【００８７】
上記では、図１及び図２を参照して詳細に本願の実施形態に係る通信方法を説明した。以下では、図３から図５を参照して、本願の実施形態に係るステーション及びアクセスポイントを説明する。
【００８８】
図３は、本願の実施形態に係る第１のＳＴＡ３００の概略ブロック図を示す。図３に示されるように、第１のＳＴＡ３００は、判定ユニット３１０、生成ユニット３２０及び送信ユニット３３０を含む。
【００８９】
判定ユニット３１０は、第１の基本サービスセットＢＳＳカラーを判定するように構成される。
【００９０】
第１のＳＴＡ及び第２のＳＴＡがデバイスツーデバイスＤ２Ｄ伝送を実行するときに、生成ユニット３２０はデータフレームを生成するように構成され、データフレームは第１のＢＳＳカラーを含む。
【００９１】
送信ユニット３３０は、データフレームを第２のＳＴＡに送信するように構成される。
【００９２】
本願の本実施形態に係る第１のＳＴＡ３００のユニットの前述の及び他の動作又は機能は、それぞれ、前述した方法における第１のＳＴＡにより実行される対応する手順を実行するために用いられる。簡潔にするために、ここでは詳細を説明しない。
【００９３】
従って、本願の本実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが、隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【００９４】
図４は、本願の実施形態に係る第２のＳＴＡ４００の概略ブロック図を示す。図４において示されるように、第２のＳＴＡ４００は、受信ユニット４１０及び判定ユニット４２０を含む。
【００９５】
受信ユニット４１０は、第１のＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【００９６】
判定ユニット４２０は、第１のＢＳＳカラーを、第１のＳＴＡとのＤ２Ｄ伝送を実行するためのＢＳＳカラーと判定するように構成される。
【００９７】
本願の本実施形態に係る第２のＳＴＡ４００のユニットの前述の及び他の動作又は機能は、それぞれ、前述した方法における第２のＳＴＡにより実行される対応する手順を実行するために用いられる。簡潔にするために、ここでは詳細を説明しない。
【００９８】
図５は、本発明の実施形態に係るアクセスポイントＡＰ５００の概略ブロック図を示す。図５に示されるように、アクセスポイントＡＰ５００は、受信ユニット５１０及び送信ユニット５２０を含む。
【００９９】
受信ユニット５１０は、第１のステーションＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【０１００】
送信ユニット５２０は、ＴＤＬＳセットアップ要求フレームを第２のＳＴＡに送信するように構成され、その結果、第２のＳＴＡは、第１のＢＳＳカラーを、第１のＳＴＡとのＤ２Ｄ伝送を実行するためのＢＳＳカラーと判定する。
【０１０１】
本願の本実施形態に係るアクセスポイントＡＰ５００のユニットの前述の及び他の動作又は機能は、それぞれ、前述した方法におけるＡＰにより実行される対応する手順を実行するために用いられる。簡潔にするために、ここでは詳細を説明しない。
【０１０２】
上記では、図１及び図２を参照して詳細に本願の実施形態に係る通信方法を説明した。以下では、図６から図８を参照して、本願の実施形態に係るステーション及びアクセスポイントを説明する。
【０１０３】
図６は、本願の実施形態に係る第１のＳＴＡ６００の概略構造図である。図６に示されるように、信号伝送エンドデバイス６００は、受信機６１０、送信機６２０、プロセッサ６３０、メモリ６４０及びバスシステム６５０を含む。受信機６１０、送信機６２０、プロセッサ６３０及びメモリ６４０は、バスシステム６５０を用いることにより接続される。メモリ６４０は、命令を格納するように構成される。プロセッサ６３０は、メモリ６４０に格納された命令を実行するように構成され、これにより、受信機６１０を制御して信号を受信し、送信機６２０を制御して信号を送信する。
【０１０４】
プロセッサ６３０は、第１の基本サービスセットＢＳＳカラーを判定するように構成される。
【０１０５】
第１のＳＴＡ及び第２のＳＴＡがデバイスツーデバイスＤ２Ｄ伝送を実行するときに、プロセッサ６３０は、さらに、データフレームを生成するように構成され、データフレームは第１のＢＳＳカラーを含む。
【０１０６】
送信機６２０は、データフレームを第２のＳＴＡに送信するように構成される。
【０１０７】
本願の本実施形態において、プロセッサ６３０は、中央演算処理装置（ｃｅｎｔｒａｌ  ｐｒｏｃｅｓｓｉｎｇ  ｕｎｉｔ、ＣＰＵ）であってよい、又は、プロセッサ６３０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート又はトランジスタロジックデバイス、個別のハードウェア構成要素等であってよいことが理解されるべきである。汎用プロセッサは、マイクロプロセッサであってよく、又は、このプロセッサは、任意の通常のプロセッサ等であってよい。
【０１０８】
メモリ６４０は、リードオンリメモリ及びランダムアクセスメモリを含んでよく、命令及びデータをプロセッサ６３０に提供する。メモリ６４０の一部は、不揮発性ランダムアクセスメモリをさらに含んでよい。例えば、メモリ６４０は、デバイスタイプについての情報をさらに格納してよい。
【０１０９】
データバスに加えて、バスシステム６５０は、電力バス、コントロールバス、ステータス信号バス等を含んでよい。しかしながら、説明を明確にするために、図中のバスシステム６５０として、様々なバスが示される。
【０１１０】
実装処理では、前述した方法における段階が、プロセッサ６３０内のハードウェア又はソフトウェアの形式の命令の統合された論理回路によって遂行され得る。本願の実施形態を参照して開示された通信方法の段階は、ハードウェアプロセッサにより直接的に実行されてよい、又は、プロセッサ内のハードウェア及びソフトウェアモジュールの組み合わせを用いることにより実行されてよい。ソフトウェアモジュールは、ランダムアクセスメモリ、フラッシュメモリ、リードオンリメモリ、プログラマブルリードオンリメモリ、電気的消去可能プログラマブルメモリ又はレジスタのような、当該分野において成熟した記憶媒体に配置されてよい。記憶媒体は、メモリ６４０に配置される。プロセッサ６３０は、メモリ６４０内の情報を読み出し、プロセッサのハードウェア６３０と組み合わせて先述の方法の段階を遂行する。繰り返しを避けるために、ここでは詳細を繰り返し説明しない。
【０１１１】
本願の本実施形態に係る第１のＳＴＡ６００のユニットの前述の及び他の動作又は機能は、それぞれ、前述した方法における第１のＳＴＡにより実行される対応する手順を実行するために用いられる。簡潔にするために、ここでは詳細を説明しない。
【０１１２】
従って、本願の本実施形態における通信方法によれば、第１のＢＳＳカラーがＤ２Ｄデータフレームにおいて搬送され、その結果、データフレームを受信したときに、第１のＳＴＡ及び第２のＳＴＡが属するＢＳＳ内の別の受信ステーションは、当該フレームが、隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【０１１３】
図７は、本願の実施形態に係る第２のＳＴＡ７００の概略構造図である。図７に示されるように、信号伝送エンドデバイス７００は、受信機７１０、送信機７２０、プロセッサ７３０、メモリ７４０及びバスシステム７５０を含む。受信機７１０、送信機７２０、プロセッサ７３０及びメモリ７４０は、バスシステム７５０を用いることにより接続される。メモリ７４０は、命令を格納するように構成される。プロセッサ７３０は、メモリ７４０により格納された命令を実行するように構成され、これにより、受信機７１０を制御して信号を受信し、送信機７２０を制御して信号を送信する。
【０１１４】
受信機７１０は、第１のＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【０１１５】
送信機７２０は、第１のＢＳＳカラーを、第１のＳＴＡとのＤ２Ｄ伝送を実行するためのＢＳＳカラーと判定するように構成される。
【０１１６】
本願の本実施形態において、プロセッサ７３０は、中央演算処理装置（ｃｅｎｔｒａｌ  ｐｒｏｃｅｓｓｉｎｇ  ｕｎｉｔ、ＣＰＵ）であってよい、又は、プロセッサ７３０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート又はトランジスタロジックデバイス、個別のハードウェア構成要素等であってよいことが理解されるべきである。汎用プロセッサは、マイクロプロセッサであってよく、又は、このプロセッサは、任意の通常のプロセッサ等であってよい。
【０１１７】
メモリ７４０は、リードオンリメモリ及びランダムアクセスメモリを含んでよく、命令及びデータをプロセッサ７３０に提供する。メモリ７４０の一部は、不揮発性ランダムアクセスメモリをさらに含んでよい。例えば、メモリ７４０は、デバイスタイプについての情報をさらに格納してよい。
【０１１８】
データバスに加えて、バスシステム７５０は、電力バス、コントロールバス、ステータス信号バス等を含んでよい。しかしながら、説明を明確にするために、図中のバスシステム７５０として、様々なバスが示される。
【０１１９】
実装処理では、前述した方法における段階が、プロセッサ７３０内のハードウェア又はソフトウェアの形式の命令の統合された論理回路によって遂行され得る。本願の実施形態を参照して開示された通信方法の段階は、ハードウェアプロセッサにより直接的に実行されてよい、又は、プロセッサ内のハードウェア及びソフトウェアモジュールの組み合わせを用いることにより実行されてよい。ソフトウェアモジュールは、ランダムアクセスメモリ、フラッシュメモリ、リードオンリメモリ、プログラマブルリードオンリメモリ、電気的消去可能プログラマブルメモリ又はレジスタのような、当該分野において成熟した記憶媒体に配置されてよい。記憶媒体は、メモリ７４０に配置される。プロセッサ７３０は、メモリ７４０内の情報を読み出し、プロセッサのハードウェア７３０と組み合わせて先述の方法の段階を遂行する。繰り返しを避けるために、ここでは詳細を繰り返し説明しない。
【０１２０】
本願の本実施形態に係る第２のＳＴＡ７００のユニットの前述の及び他の動作又は機能は、それぞれ、前述した方法における第２のＳＴＡにより実行される対応する手順を実行するために用いられる。簡潔にするために、ここでは詳細を説明しない。
【０１２１】
図８は、本願の実施形態に係るアクセスポイントＡＰ８００の概略構造図である。図８に示されるように、信号伝送エンドデバイス８００は、受信機８１０、送信機８２０、プロセッサ８３０、メモリ８４０及びバスシステム８５０を含み、受信機８１０、送信機８２０、プロセッサ８３０及びメモリ８４０は、バスシステム８５０を用いることにより接続される。メモリ８４０は、命令を格納するように構成される。プロセッサ８３０は、メモリ８４０により格納された命令を実行するように構成され、これにより、受信機８１０を制御して信号を受信し、送信機８２０を制御して信号を送信する。
【０１２２】
受信機８１０は、第１のステーションＳＴＡにより送信されたトンネルダイレクトリンクセットアップＴＤＳＬセットアップ要求フレームを受信するように構成され、ＴＤＬＳセットアップ要求フレームは、第１の基本サービスセットＢＳＳカラーを含む。
【０１２３】
送信機８２０は、ＴＤＬＳセットアップ要求フレームを第２のＳＴＡに送信するように構成され、その結果、第２のＳＴＡは、第１のＢＳＳカラーを、第１のＳＴＡとのＤ２Ｄ伝送を実行するためのＢＳＳカラーと判定する。
【０１２４】
本願の本実施形態において、プロセッサ８３０は、中央演算処理装置（ｃｅｎｔｒａｌ  ｐｒｏｃｅｓｓｉｎｇ  ｕｎｉｔ、ＣＰＵ）であってよい、又は、プロセッサ８３０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート又はトランジスタロジックデバイス、個別のハードウェア構成要素等であってよいことが理解されるべきである。汎用プロセッサは、マイクロプロセッサであってよく、又は、このプロセッサは、任意の通常のプロセッサ等であってよい。
【０１２５】
メモリ８４０は、リードオンリメモリ及びランダムアクセスメモリを含んでよく、命令及びデータをプロセッサ８３０に提供する。メモリ８４０の一部は、不揮発性ランダムアクセスメモリをさらに含んでよい。例えば、メモリ８４０は、デバイスタイプについての情報をさらに格納してよい。
【０１２６】
データバスに加えて、バスシステム８５０は、電力バス、コントロールバス、ステータス信号バス等を含んでよい。しかしながら、説明を明確にするために、図中のバスシステム８５０として、様々なバスが示される。
【０１２７】
実装処理では、前述した方法における段階が、プロセッサ８３０内のハードウェア又はソフトウェアの形式の命令の統合された論理回路によって遂行され得る。本願の実施形態を参照して開示された通信方法の段階は、ハードウェアプロセッサにより直接的に実行されてよい、又は、プロセッサ内のハードウェア及びソフトウェアモジュールの組み合わせを用いることにより実行されてよい。ソフトウェアモジュールは、ランダムアクセスメモリ、フラッシュメモリ、リードオンリメモリ、プログラマブルリードオンリメモリ、電気的消去可能プログラマブルメモリ又はレジスタのような、当該分野において成熟した記憶媒体に配置されてよい。記憶媒体は、メモリ８４０に配置される。プロセッサ８３０は、メモリ８４０内の情報を読み出し、プロセッサのハードウェア８３０と組み合わせて先述の方法の段階を遂行する。繰り返しを避けるために、ここでは詳細を繰り返し説明しない。
【０１２８】
本願の本実施形態に係るアクセスポイントＡＰ８００のユニットの前述の及び他の動作又は機能は、それぞれ、前述した方法におけるＡＰにより実行される対応する手順を実行するために用いられる。簡潔にするために、ここでは詳細を説明しない。
【０１２９】
従って、本願の本実施形態における通信方法によれば、第１のＢＳＳカラーはＤ２Ｄデータフレームにおいて搬送され、その結果、データフレームを受信したときに、第１のＳＴＡ及び第２のＳＴＡが属するＢＳＳ内の別の受信ステーションは、当該フレームが、隣接セルからのフレームであると判定できる。このように、一方では、非ＨＥ  ＡＰシナリオにおいて、非ＨＥ  ＡＰがＨＥ  ＳＴＡのＢＳＳカラーを設定できないという課題が解決される。他方では、ＨＥ  ＡＰシナリオにおいて、空間多重化を改善でき、システム効率及びスループットを向上させることができる。
【０１３０】
本明細書における「及び／又は」という用語は、関連する対象を説明するための関連関係のみを説明し、３つの関係が存在し得ることを表す。例えば、Ａ及び／又はＢは、Ａのみが存在すること、Ａ及びＢの両方が存在すること、及びＢのみが存在することの３つのケースを表してよい。さらに、本明細書における記号「／」は、概して、関連するオブジェクト間の「又は」の関係を示す。
【０１３１】
先述の処理のシーケンス番号は、様々な本願の実施形態における実行順序を意味するものでないことが理解されるべきである。処理の実行順序は、処理の機能及び内部論理に従って判定されるべきであり、本願の実施形態の実装処理についてのいかなる限定として解釈されるべきでない。
【０１３２】
当業者であれば、本明細書において開示される実施形態を参照して説明された例におけるユニット及びアルゴリズム段階が、電子的ハードウェア、又は、コンピュータソフトウェア及び電子的ハードウェアの組み合わせにより実装されてよいことが認識され得る。機能が、ハードウェアにより実行されるか、又は、ソフトウェアにより実行されるかは、技術的解決手法の特定の用途及び設計制約条件に依存する。当業者であれば、それぞれの特定の用途に対して説明された機能を実行すべく異なる方法を用いてよいが、その実装が本願の範囲を超えるものと考えられるべきではない。
【０１３３】
簡便及び簡潔な説明の目的で、先述のシステム、装置及びユニットの詳細な動作処理について、前述した方法の実施形態における対応する処理への参照が行われてよく、詳細は説明しないものであることが当業者により明確に理解され得る。
【０１３４】
本願において提供されるいくつかの実施形態において、開示されたシステム、装置及び方法は、他の方式で実装されてよいことが理解されるべきである。例えば、説明された装置の実施形態は例に過ぎない。例えば、ユニットの区分は、論理的な機能区分に過ぎず、実際の実装では、他の区分であってよい。例えば、複数のユニット又はコンポーネントは、別のシステムに組み合わされ又は統合されてよい、又は、いくつか機能が無視又は実行されなくてよい。さらに、表示され又は論じられた相互結合又は直接結合又は通信接続は、いくつかのインタフェース、間接的な結合又は装置間又はユニット間の通信接続若しくは電気的な接続、機械的接続若しくは他の形態における接続を通じて実装されてよい。
【０１３５】
別個のパーツとして説明されたユニットは、物理的に分離されてもされていなくてよく、ユニットとして表示されるパーツは、物理ユニットであってもそうでなくてもよく、１か所に配置されてもよく、複数のネットワークユニットに分散されてもよい。ユニットの一部又はすべては、実施形態の解決手段の目的を達成するために、実際のニーズに従って選択されてよい。
【０１３６】
さらに、本願の実施形態における機能ユニットは、１つの処理ユニットに統合されてよい、又は、ユニットのそれぞれは、物理的に単独で存在してもよく、又は、２つ又はそれより多いユニットは、１つのユニットに統合される。
【０１３７】
ソフトウェア機能ユニットの形式で機能が実装され、別個の製品として販売又は使用されるとき、機能は、コンピュータ可読記憶媒体に格納されてよい。そのような理解に基づいて、基本的に本願の技術的解決手法又は従来技術に対して貢献する部分又は技術的解決手法のいくつかが、ソフトウェア製品の形式で実装されてよい。ソフトウェア製品は、記憶媒体に格納され、コンピュータデバイス（パーソナルコンピュータ、サーバ、又はネットワークデバイスであってよい）に、本発明の実施形態において説明された方法の段階の全て又はいくつかを実行するように命令するためのいくつかの命令を含む。前述の記憶媒体は、ＵＳＢフラッシュドライブ、リムーバブルハードディスク、リードオンリメモリ（Ｒｅａｄ-Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクのような、プログラムコードを格納できる任意の媒体を含む。
【０１３８】
前述の説明は、本願の特定の実装に過ぎず、本願の保護範囲を制限することを意図したものではない。本願において開示された技術的範囲内で、当業者により容易に考え出される任意の変形又は置換が本願の保護範囲に含まれるものとする。従って、本願の保護範囲は、特許請求の範囲の保護範囲に従うものとする。
【手続補正３】
【補正対象書類名】図面
【補正対象項目名】図６
【補正方法】変更
【補正の内容】
【図６】
2019518379.tif 000011
【手続補正４】
【補正対象書類名】図面
【補正対象項目名】図７
【補正方法】変更
【補正の内容】
【図７】
2019518379.tif 000012
【手続補正５】
【補正対象書類名】図面
【補正対象項目名】図８
【補正方法】変更
【補正の内容】
【図８】
2019518379.tif 000013
【国際調査報告】
2019518379.tif 000014
2019518379.tif 000015
2019518379.tif 000016
2019518379.tif 000017